(57)【要約】ワイヤレス通信のための方法および装置が提供されている。一態様では、装置は、ユーザ機器（ＵＥ）、基地局、またはアクセスポイントでありうる。装置は、様々なワイヤレスネットワークからの複数の発見技術をサポートする高レベル表示データ構造のピア発見情報をブロードキャストする。高レベル表示データを使用することによって、装置は、あらゆる補足的なクロステクノロジ発見情報の存在を、そのような情報が利用可能になるとシグナリングするための、単一の、統合された発見アプリケーションプログラミングインターフェースを使用することができる。別の態様では、装置はＵＥでありうる。装置は、ピア発見信号においてブロードキャストされた高レベル表示データを受信し、データを処理する。【選択図】図１１
2017511634.tif 000002
【特許請求の範囲】
【請求項１】
ワイヤレス通信の方法であって、
第１の周期性および第１のピア発見距離を持つ第１のピア発見信号において第１のセットの情報を送信することと、
第２の周期性および第２のピア発見距離を持つ第２のピア発見信号において第２のセットの情報を送信すること、ここにおいて前記第２の周期性は、前記第１の周期性とは異なり、前記第２のピア発見距離は、前記第１のピア発見距離よりも小さく、前記第２のセットの情報は、前記第１のセットの情報に関連付けられている、と
を備える、方法。
【請求項２】
前記第１のセットの情報は、前記第２のセットの情報が前記第２の周期性および前記第２のピア発見距離で送信されることになると示す情報を含む、
請求項１に記載の方法。
【請求項３】
前記第１のセットの情報に基づいて、識別子を生成することをさらに備え、前記識別子は、前記第２のセットの情報で送信される、
請求項１に記載の方法。
【請求項４】
前記識別子は、前記第１のセットの情報に適用されたハッシュ関数に基づいて生成されたハッシュ値である、
請求項３に記載の方法。
【請求項５】
前記ハッシュ関数は、経時的に変動する、
請求項４に記載の方法。
【請求項６】
前記第１のセットの情報は、ワイヤレスワイドエリアネットワーク（ＷＷＡＮ）を介して送信され、前記第２のセットの情報は、ワイヤレスローカルエリアネットワーク（ＷＬＡＮ）またはパーソナルエリアネットワーク（ＰＡＮ）のうちの１つを介して送信される、
請求項１に記載の方法。
【請求項７】
第３の周期性および第３のピア発見距離を持つ第３のピア発見信号において第３のセットの情報を送信することをさらに備え、前記第３の周期性は、前記第２の周期性とは異なり、前記第３のピア発見距離は、前記第２のピア発見距離よりも小さく、前記第３のセットの情報は、前記第１のセットの情報に関連付けられている、
請求項１に記載の方法。
【請求項８】
前記第１のセットの情報は、前記第２のセットの情報が前記第２の周期性および前記第２のピア発見距離で送信されることになり、前記第３のセットの情報が前記第３の周期性および前記第３のピア発見距離で送信されることになると示す情報を含む、
請求項７に記載の方法。
【請求項９】
前記第１のセットの情報に基づいて、第１の識別子を生成すること、ここにおいて前記第１の識別子は、前記第２のセットの情報で送信される、と、
前記第１のセットの情報または前記第２のセットの情報のうちの１つに基づいて、第２の識別子を生成すること、ここにおいて前記第２の識別子は、前記第３のセットの情報で送信される、と
をさらに備える、請求項７に記載の方法。
【請求項１０】
前記第１の識別子は、前記第１のセットの情報に適用された第１のハッシュ関数に基づいて生成されたハッシュ値であり、前記第２の識別子は、前記第１のセットの情報または前記第２のセットの情報のうちの前記１つに適用された第２のハッシュ関数に基づいて生成されたハッシュ値である、
請求項９に記載の方法。
【請求項１１】
前記第１のセットの情報は、ワイヤレスワイドエリアネットワーク（ＷＷＡＮ）を介して送信され、前記第２のセットの情報は、ワイヤレスローカルエリアネットワーク（ＷＬＡＮ）を介して送信され、前記第３のセットの情報は、パーソナルエリアネットワーク（ＰＡＮ）を介して送信される、
請求項７に記載の方法。
【請求項１２】
ユーザ機器（ＵＥ）のワイヤレス通信の方法であって、
第１の周期性および第１のピア発見距離を持つ第１のピア発見信号において第１のセットの情報を受信することと、
第２の周期性および第２のピア発見距離を持つ第２のピア発見信号において第２のセットの情報を受信すること、ここにおいて前記第２の周期性は、前記第１の周期性とは異なり、前記第２のピア発見距離は、前記第１のピア発見距離よりも小さい、と、
前記第２のセットの情報が前記第１のセットの情報に関連付けられていると決定することと
を備える、方法。
【請求項１３】
前記第１のセットの情報は、前記第２のセットの情報が前記第２の周期性および前記第２のピア発見距離で送信されることになると示す情報を含み、前記第２のセットの情報は、前記第２のセットの情報が前記第２の周期性および前記第２のピア発見距離で送信されることになると示す前記情報に基づいて受信される、
請求項１２に記載の方法。
【請求項１４】
前記第２のセットの情報で識別子を受信することをさらに備え、前記ＵＥは、前記受信された識別子に基づいて、前記第２のセットの情報が前記第１のセットの情報に関連付けられていると決定する、
請求項１２に記載の方法。
【請求項１５】
ハッシュ値を生成するために、前記第１のセットの情報にハッシュ関数を適用することと、
前記識別子と前記ハッシュ値を比較することと
を備え、
前記ＵＥは、前記ハッシュ値と前記識別子とが同じであるとき、前記第２のセットの情報が前記第１のセットの情報に関連付けられていると決定する、
請求項１４に記載の方法。
【請求項１６】
前記ハッシュ関数は、経時的に変動する、
請求項１５に記載の方法。
【請求項１７】
前記第１のセットの情報は、ワイヤレスワイドエリアネットワーク（ＷＷＡＮ）を介して受信され、前記第２のセットの情報は、ワイヤレスローカルエリアネットワーク（ＷＬＡＮ）またはパーソナルエリアネットワーク（ＰＡＮ）のうちの１つを介して受信される、
請求項１２に記載の方法。
【請求項１８】
第３の周期性および第３のピア発見距離を持つ第３のピア発見信号において第３のセットの情報を受信すること、ここにおいて前記第３の周期性は、前記第２の周期性とは異なり、前記第３のピア発見距離は、前記第２のピア発見距離よりも小さい、と、
前記第３のセットの情報が、前記第１のセットの情報または前記第２のセットの情報のうちの少なくとも１つに関連付けられていると決定することと
をさらに備える、請求項１２に記載の方法。
【請求項１９】
前記第１のセットの情報は、前記第２のセットの情報が前記第２の周期性および前記第２のピア発見距離で送信されることになり、前記第３のセットの情報が前記第３の周期性および前記第３のピア発見距離で送信されることになると示す情報を含み、前記第２のセットの情報は、前記第２のセットの情報が前記第２の周期性および前記第２のピア発見距離で送信されることになると示す前記情報に基づいて受信され、前記第３のセットの情報は、前記第３のセットの情報が、前記第３の周期性および前記第３のピア発見距離で送信されることになると示す前記情報に基づいて受信される、
請求項１８に記載の方法。
【請求項２０】
前記第２のセットの情報で第１の識別子を受信すること、ここにおいて前記ＵＥは、前記受信された第１の識別子に基づいて、前記第２のセットの情報が前記第１のセットの情報に関連付けられていると決定する、と、
前記第３のセットの情報で第２の識別子を受信すること、ここにおいて前記ＵＥは、前記受信された第２の識別子に基づいて、前記第３のセットの情報が、前記第１のセットの情報または前記第２のセットの情報のうちの少なくとも１つに関連付けられていると決定する、と
をさらに備える、請求項１８に記載の方法。
【請求項２１】
第１のハッシュ値を生成するために、前記第１のセットの情報に第１のハッシュ関数を適用することと、
前記第１の識別子と前記第１のハッシュ値を比較すること、ここにおいて前記ＵＥは、前記第１のハッシュ値と前記第１の識別子とが同じであるとき、前記第２のセットの情報が前記第１のセットの情報に関連付けられていると決定する、と、
第２のハッシュ値を生成するために、前記第１のセットの情報または前記第２のセットの情報のうちの前記少なくとも１つに第２のハッシュ関数を適用することと、
前記第２の識別子と前記第２のハッシュ値を比較すること、ここにおいて前記ＵＥは、前記第２のハッシュ値と前記第２の識別子とが同じであるとき、前記第３のセットの情報が、前記第１のセットの情報または前記第２のセットの情報のうちの前記少なくとも１つに関連付けられていると決定する、と
をさらに備える、請求項２０に記載の方法。
【請求項２２】
前記第１のセットの情報は、ワイヤレスワイドエリアネットワーク（ＷＷＡＮ）を介して受信され、前記第２のセットの情報は、ワイヤレスローカルエリアネットワーク（ＷＬＡＮ）を介して受信され、前記第３のセットの情報は、パーソナルエリアネットワーク（ＰＡＮ）を介して受信される、
請求項１８に記載の方法。
【請求項２３】
ワイヤレス通信のための装置であって、
第１の周期性および第１のピア発見距離を持つ第１のピア発見信号において第１のセットの情報を送信するための手段と、
第２の周期性および第２のピア発見距離を持つ第２のピア発見信号において第２のセットの情報を送信するための手段、ここにおいて前記第２の周期性は、前記第１の周期性とは異なり、前記第２のピア発見距離は、前記第１のピア発見距離よりも小さく、前記第２のセットの情報は、前記第１のセットの情報に関連付けられている、と
を備える、装置。
【請求項２４】
前記第１のセットの情報に基づいて、識別子を生成するための手段をさらに備え、前記識別子は、前記第２のセットの情報で送信される、
請求項２３に記載の装置。
【請求項２５】
第３の周期性および第３のピア発見距離を持つ第３のピア発見信号において第３のセットの情報を送信するための手段をさらに備え、前記第３の周期性は、前記第２の周期性とは異なり、前記第３のピア発見距離は、前記第２のピア発見距離よりも小さく、前記第３のセットの情報は、前記第１のセットの情報に関連付けられている、
請求項２３に記載の装置。
【請求項２６】
前記第１のセットの情報に基づいて、第１の識別子を生成するための手段、ここにおいて前記第１の識別子は、前記第２のセットの情報で送信される、と、
前記第１のセットの情報または前記第２のセットの情報のうちの１つに基づいて、第２の識別子を生成するための手段、ここにおいて前記第２の識別子は、前記第３のセットの情報で送信される、と
をさらに備える、請求項２５に記載の装置。
【請求項２７】
ワイヤレス通信のための装置であって、前記装置は、ユーザ機器（ＵＥ）であり、
第１の周期性および第１のピア発見距離を持つ第１のピア発見信号において第１のセットの情報を受信するための手段と、
第２の周期性および第２のピア発見距離を持つ第２のピア発見信号において第２のセットの情報を受信するための手段、ここにおいて前記第２の周期性は、前記第１の周期性とは異なり、前記第２のピア発見距離は、前記第１のピア発見距離よりも小さい、と、
前記第２のセットの情報が前記第１のセットの情報に関連付けられていると決定するための手段と
を備える、装置。
【請求項２８】
前記第２のセットの情報で識別子を受信するための手段をさらに備え、前記決定するための手段は、前記受信された識別子に基づいて、前記第２のセットの情報が前記第１のセットの情報に関連付けられていると決定するように構成される、
請求項２７に記載の装置。
【請求項２９】
ハッシュ値を生成するために、前記第１のセットの情報にハッシュ関数を適用するための手段と、
前記識別子と前記ハッシュ値を比較するための手段と
を備え、
前記決定するための手段は、前記ハッシュ値と前記識別子とが同じであるとき、前記第２のセットの情報が、前記第１のセットの情報に関連付けられていると決定する、
請求項２８に記載の装置。
【請求項３０】
第３の周期性および第３のピア発見距離を持つ第３のピア発見信号において第３のセットの情報を受信するための手段、ここにおいて前記第３の周期性は、前記第２の周期性とは異なり、前記第３のピア発見距離は、前記第２のピア発見距離よりも小さい、と、
前記第３のセットの情報が、前記第１のセットの情報または前記第２のセットの情報のうちの少なくとも１つに関連付けられていると決定するための手段と
をさらに備える、請求項２７に記載の装置。
【発明の詳細な説明】
【関連出願への相互参照】
【０００１】
[0001]本願は、２０１４年３月６日に出願された「SUPPLEMENTAL CROSS-TECHNOLOGY DISCOVERY」と題する米国特許出願第１４／１９９，８８４号の利益を主張し、これは、その全体として本明細書に参照によって明示的に組み込まれる。
【技術分野】
【０００２】
[0002]本開示は、一般に通信システムに関し、より具体的には、ピアツーピア通信のための補足的なクロステクノロジ発見（cross-technology discovery）に関する。
【背景技術】
【０００３】
[0003]ワイヤレス通信システムは、電話通信、ビデオ、データ、メッセージング、およびブロードキャストのような様々なテレコミュニケーションサービスを提供するように広く配備されている。典型的なワイヤレス通信システムは、利用可能なシステムリソース（例えば、帯域幅、送信電力）を共有することによって複数のユーザとの通信をサポートする能力を有する多元接続技術を用いることができる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが市区町村レベル、国レベル、地域レベル、さらにはグローバルレベルで通信することを可能にする共通のプロトコルを提供するために、様々な電気通信規格において採用されてきた。台頭してきた電気通信規格の例は、ロングタームエボリューション（ＬＴＥ（登録商標））である。ＬＴＥは、第３世代パートナシッププロジェクト（３ＧＰＰ（登録商標））によって公表された、ユニバーサルモバイルテレコミュニケーションシステム（ＵＭＴＳ）モバイル規格に対する強化のセットである。ＬＴＥは、スペクトル効率を改善すること、コストを下げること、サービスを向上させること、新たなスペクトルを利用すること、および、ダウンリンク（ＤＬ）上でＯＦＤＭＡを使用し、アップリンク（ＵＬ）上でＳＣ−ＦＤＭＡを使用し、かつ多入力多出力（ＭＩＭＯ）アンテナ技術を使用する他のオープン規格とより良好に統合することによって、モバイルブロードバンドインターネットアクセスをより良好にサポートするように設計されている。しかしながら、モバイルブロードバンドアクセスを求める需要が増加し続けるのに伴い、ＬＴＥ技術にはさらなる改善を求めるニーズ（need）が存在する。望ましくは、これらの改善は、他の多元接続技術、およびこれらの技術を用いる電気通信規格に適用可能であるべきである。
【発明の概要】
【０００５】
[0005]本開示の態様では、方法、コンピュータプログラム製品、および装置が提供されている。装置は、ユーザ機器（ＵＥ）、アクセスポイント、または基地局でありうる。装置は、第１の周期性および第１のピア発見距離を持つ第１のピア発見信号において第１のセットの情報を送信する。装置は、第２の周期性および第２のピア発見距離を持つ第２のピア発見信号において第２のセットの情報を送信し、第２の周期性は、第１の周期性とは異なり、第２のピア発見距離は、第１のピア発見距離よりも小さく、第２のセットの情報は、第１のセットの情報に関連付けられている。
【０００６】
[0006]本開示の別の態様では、方法、コンピュータプログラム製品、および装置が提供されている。装置はＵＥでありうる。装置は、第１の周期性および第１のピア発見距離を持つ第１のピア発見信号において第１のセットの情報を受信する。装置はまた、第２の周期性および第２のピア発見距離を持つ第２のピア発見信号において第２のセットの情報を受信し、第２の周期性は、第１の周期性とは異なり、第２のピア発見距離は、第１のピア発見距離よりも小さい。装置は、第２のセットの情報が第１のセットの情報に関連付けられていると決定する。
【図面の簡単な説明】
【０００７】
【図１】ネットワークアーキテクチャの例を例示する図である。
【図２】アクセスネットワークの例を例示する図である。
【図３】ＬＴＥにおけるＤＬフレーム構造の例を例示する図である。
【図４】ＬＴＥにおけるＵＬフレーム構造の例を例示する図である。
【図５】ユーザおよび制御プレーンのための無線プロトコルアーキテクチャの例を例示する図である。
【図６】アクセスネットワークにおける発展型ノードＢおよびユーザ機器の例を例示する図である。
【図７】デバイス対デバイス通信システムの図である。
【図８Ａ】ピアツーピア通信において使用される単一の、統合された発見ＡＰＩのための高レベル表示データに関する実例的な構造を例示するための図である。
【図８Ｂ】ピアツーピア通信システムにおける使用のための実例的なデータ構造を例示するための図である。
【図９】補足的なクロステクノロジ発見に関連する実例的な方法を例示する図である。
【図１０】どのように高レベル表示データがＵＥ上のアプリケーションに提示されるのかを例示する図である。
【図１１】ワイヤレス通信の第１の方法のフローチャートである。
【図１２】ワイヤレス通信の第２の方法のフローチャートである。
【図１３】実例的な装置における異なるモジュール／手段／コンポーネント間のデータフローを例示する概略的なデータフロー図である。
【図１４】処理システムを用いる装置のためのハードウェア実装の例を例示する図である。
【図１５】実例的な装置における異なるモジュール／手段／コンポーネント間のデータフローを例示する概略的なデータフロー図である。
【図１６】処理システムを用いる装置のためのハードウェア実装の例を例示する図である。
【詳細な説明】
【０００８】
[0024]添付の図面に関係して以下で述べられる詳細な説明は、様々な構成の説明として意図されており、本明細書で説明されている概念が実施されうる構成のみを表すようには意図されていない。詳細な説明は、様々な概念の徹底的な理解を提供する目的で、具体的な詳細を含む。しかしながら、これらの概念がこれらの具体的な詳細なしに実施されうることは当業者には明らかであるだろう。いくつかの事例では、そのような概念を曖昧にすることを避けるために、周知の構造およびコンポーネントが、ブロック図の形態で図示されている。
【０００９】
[0025]テレコミュニケーションシステムのいくつかの態様は、様々な装置および方法を参照してこれから提示されることになる。これらの装置および方法は、様々なブロック、モジュール、コンポーネント、回路、ステップ、プロセス、アルゴリズム等（集合的には「要素」と称される）によって、以下の詳細な説明において説明され、添付の図面において例示されることになる。これらの要素は、電子ハードウェア、コンピュータソフトウェア、またはそれらのあらゆる組み合わせを使用して実装されうる。そのような要素がハードウェアとして実装されるかソフトウェアとして実装されるかは、全体的なシステムに課された設計制約および特定のアプリケーションに依存する。
【００１０】
[0026]例として、要素、または要素のあらゆる部分、または要素のあらゆる組み合わせは、１つまたは複数のプロセッサを含む「処理システム」で実装されうる。プロセッサの例は、本開示全体を通して説明されている様々な機能を実行するように構成された、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理回路、ディスクリートハードウェア回路、および他の適したハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語、または違った形で称される場合でも、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるものとする。
【００１１】
[0027]したがって、１つまたは複数の実例的な実施形態では、説明されている機能は、ハードウェア、ソフトウェア、ファームウェア、またはそれらのあらゆる組み合わせで実装されうる。ソフトウェアで実装される場合、機能は、コンピュータ可読媒体上に、１つまたは複数の命令またはコードとして符号化されるか、あるいは記憶されうる。コンピュータ可読媒体は、コンピュータ記憶媒体を含む。記憶媒体は、コンピュータによってアクセスされうるあらゆる利用可能な媒体でありうる。限定ではなく例として、そのようなコンピュータ可読媒体は、ランダムアクセスメモリ（ＲＡＭ）、読取専用メモリ（ＲＯＭ）、電気的に消去可能なプログラマブルＲＯＭ（ＥＥＰＲＯＭ（登録商標））、コンパクトディスクＲＯＭ（ＣＤ−ＲＯＭ）または他の光学ディスクストレージ、磁気ディスクストレージまたは他の磁気記憶デバイス、あるいは、データ構造または命令の形態で所望のプログラムコードを搬送または記憶するために使用され得、かつコンピュータによってアクセスされうるあらゆる他の媒体を備えることができる。上記の組み合わせもまた、コンピュータ可読媒体の範囲内に含まれるべきである。
【００１２】
[0028]図１は、ＬＴＥネットワークアーキテクチャ１００を例示する図である。ＬＴＥネットワークアーキテクチャ１００は、発展型パケットシステム（ＥＰＳ）１００として称されうる。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、およびオペレータのインターネットプロトコル（ＩＰ）サービス１２２を含むことができる。ＥＰＳは、他のアクセスネットワークと相互接続することができるが、簡潔化のために、それらのエンティティ／インターフェースは図示されていない。図示されているように、ＥＰＳはパケット交換サービスを提供するけれども、当業者が容易に認識することになるように、本開示全体を通して提示されている様々な概念が、回路交換サービスを提供するネットワークに拡張されうる。
【００１３】
[0029]Ｅ−ＵＴＲＡＮは、発展型ノードＢ（ｅＮＢ）１０６および他のｅＮＢ１０８を含み、マルチキャスト協調エンティティ（ＭＣＥ）１２８を含むことができる。ｅＮＢ１０６は、ＵＥ１０２に向かうユーザおよび制御プレーンプロトコル終端（terminations）を提供する。ｅＮＢ１０６は、バックホール（例えば、Ｘ２インターフェース）を介して、他のｅＮＢ１０８に接続されうる。ＭＣＥ１２８は、発展型マルチキャストブロードキャストマルチキャストサービス（ＭＢＭＳ）（ｅＭＢＭＳ）のために時間／周波数無線リソースを割り振り、ｅＭＢＭＳのために無線構成（例えば、変調およびコーディングスキーム（ＭＣＳ））を決定する。ＭＣＥ１２８は、ｅＮＢ１０６の一部または別個のエンティティでありうる。ｅＮＢ１０６はまた、基地局、ノードＢ、アクセスポイント、基地トランシーバ局、無線基地局、無線トランシーバ、トランシーバ機能、ベーシックサービスセット（ＢＳＳ）、拡張サービスセット（ＥＳＳ）、または何らかの他の適した専門用語として称されうる。ｅＮＢ１０６は、ＵＥ１０２にＥＰＣ１１０へのアクセスポイントを提供する。ＵＥ１０２の例は、セルラ式電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機、タブレット、またはあらゆる他の同様の機能的デバイス（functioning devices）を含む。ＵＥ１０２は、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、あるいは何らかの他の適した専門用語としても称されうる。
【００１４】
[0030]ｅＮＢ１０６は、ＥＰＣ１１０に接続されている。ＥＰＣ１１０は、モビリティ管理エンティティ（ＭＭＥ）１１２、ホーム加入者サーバ（ＨＳＳ）１２０、他のＭＭＥ１１４、サービングゲートウェイ１１６、マルチメディアブロードキャストマルチキャストサービス（ＭＢＭＳ）ゲートウェイ１２４、ブロードキャストマルチキャストサービスセンタ（ＢＭ−ＳＣ）１２６、およびパケットデータネットワーク（ＰＤＮ）ゲートウェイ１１８を含むことができる。ＭＭＥ１１２は、ＵＥ１０２とＥＰＣ１１０との間のシグナリングを処理する制御ノードである。一般にＭＭＥ１１２は、ベアラおよび接続管理を提供する。すべてのユーザＩＰパケットは、自身がＰＤＮゲートウェイ１１８に接続されているサービングゲートウェイ１１６を通って転送される。ＰＤＮゲートウェイ１１８は、ＵＥ  ＩＰアドレス割り振り、ならびに他の機能を提供する。ＰＤＮゲートウェイ１１８およびＢＭ−ＳＣ１２６は、ＩＰサービス１２２に接続されている。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含むことができる。ＢＳ−ＳＣ１２６は、ＭＢＭＳユーザサービスプロビジョニングおよび配信のための機能を提供することができる。ＢＭ−ＳＣ１２６は、コンテンツプロバイダＭＢＭＳ送信のためのエントリポイントとして役割をし得、ＰＬＭＮ内のＭＢＭＳベアラサービスを認証および開始するために使用され得、ＭＢＭＳ送信をスケジュールおよび配信するために使用されうる。ＭＢＭＳゲートウェイ１２４は、特定のサービスをブロードキャストするマルチキャストブロードキャスト単一周波数ネットワーク（ＭＢＳＦＮ）エリアに属するｅＮＢ（例えば、１０６、１０８）にＭＢＭＳトラフィックを分配するために使用され得、セッション管理（開始／停止）およびｅＭＢＭＳ関連課金情報を収集することを担いうる。
【００１５】
[0031]図２は、ＬＴＥネットワークアーキテクチャにおけるアクセスネットワーク２００の例を例示する図である。この例では、アクセスネットワーク２００が、いくつかのセルラ領域（セル）２０２に分割される。１つまたは複数のより低い電力クラスのｅＮＢ２０８は、セル２０２のうちの１つまたは複数と重複するセルラ領域２１０を有することができる。より低い電力クラスｅＮＢ２０８は、フェムトセル（例えば、ホームｅＮＢ（ＨｅＮＢ））、ピコセル、マイクロセル、または遠隔無線ヘッド（ＲＲＨ）でありうる。マクロｅＮＢ２０４は各々、それぞれのセル２０２に割り当てられ、セル２０２内のすべてのＵＥ２０６にＥＰＣ１１０へのアクセスポイントを提供するように構成されている。アクセスネットワーク２００のこの例には集中型コントローラが存在しないが、代わりの構成では、集中型コントローラが使用されうる。ｅＮＢ２０４は、無線ベアラ制御、アドミッション制御、モビリティ制御、スケジューリング、安全性、およびサービングゲートウェイ１１６への接続を含む、すべての無線関連機能を担う。ｅＮＢは、１つまたは複数（multiple）（例えば、３つ）のセル（セクタとしても称される）をサポートすることができる。「セル」という用語は、ｅＮＢの最も小さいカバレッジエリアを指し得、および／または、ｅＮＢサブシステムサービングは、特定のカバレッジエリアである。さらに、「ｅＮＢ」、「基地局」および「セル」という用語は、本明細書では交換可能に使用されうる。
【００１６】
[0032]アクセスネットワーク２００によって用いられる変調および多元接続スキームは、配備されている特定のテレコミュニケーション規格に依存して変動しうる。ＬＴＥアプリケーションでは、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用される。以下に続く詳細な説明から当業者が容易に認識することになるように、本明細書で提示されている様々な概念はＬＴＥアプリケーションに良好に適合される。しかしながら、これらの概念は、他の変調および多元接続技法を用いる他のテレコミュニケーション規格に容易に拡張されうる。例として、これらの概念は、エボリューションデータオプティマイズド（ＥＶ−ＤＯ）またはウルトラモバイルブロードバンド（ＵＭＢ）に拡張されうる。ＥＶ−ＤＯおよびＵＭＢは、ＣＤＭＡ２０００規格ファミリの一部として、３世代パートナシッププロジェクト２（３ＧＰＰ２）によって公表されているエアインターフェース規格であり、モバイル局へのブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いるグローバルシステムフォーモバイルコミュニケーション（ＧＳＭ（登録商標））、ＯＦＤＭＡを用いる、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭにも拡張されうる。ＵＴＲＡ、Ｅ−ＵＴＲＡ、ＵＭＴＳ、ＬＴＥ、およびＧＳＭは、３ＧＰＰの組織による文書において説明されている。ＣＤＭＡ２０００およびＵＭＢは、３ＧＰＰ２の組織による文書において説明されている。用いられる実際のワイヤレス通信規格および多元接続技術は、システムに課された全体的な設計制約および指定のアプリケーションに依存するだろう。
【００１７】
[0033]ｅＮＢ２０４は、ＭＩＭＯ技術をサポートする複数のアンテナを有することができる。ＭＩＭＯ技術の使用は、ｅＮＢ２０４が、空間多重化、ビームフォーミング、および送信ダイバーシティをサポートするために空間ドメインを利用することを可能にする。空間多重化は、同じ周波数上で同時に異なるデータのストリームを送信するために使用されうる。データストリームは、データレートを増加させるために単一のＵＥ２０６に、または、全体的なシステム容量を増加させるために複数のＵＥ２０６に、送信されうる。これは各データストリームを空間的にプリコーディングし（すなわち、振幅および位相のスケーリングを適用し）、その後ＤＬ上で複数の送信アンテナを通じて各空間的にプリコーディングされたストリームを送信することによって達成される。空間的にプリコーディングされたデータストリームは、異なる空間シグネチャでＵＥ２０６（複数を含む）に到達し、これは、ＵＥ２０６（複数を含む）の各々がそのＵＥ２０６に宛てられた１つまたは複数のデータストリームを復元することを可能にする。ＵＬ上で各ＵＥ２０６は、空間的にプリコーディングされたデータストリームを送信し、これは、ｅＮＢ２０４が、各空間的にプリコーティングされたデータストリームのソースを識別することを可能にする。
【００１８】
[0034]空間多重化は一般に、チャネル状況が良好なときに使用される。チャネル状況がさほど好ましくないときには、ビームフォーミングが１つまたは複数の方向に送信エネルギーの焦点を当てるために使用されうる。これは、複数のアンテナを通じた送信のためにデータを空間的にプリコーディングすることによって達成されうる。セルの端で良好なカバレッジを達成するために、単一のストリームのビームフォーミング送信が送信ダイバーシティと組み合わせて使用されうる。
【００１９】
[0035]以下に続く詳細な説明では、アクセスネットワークの様々な態様が、ＤＬ上でＯＦＤＭをサポートするＭＩＭＯシステムを参照して説明されることになる。ＯＦＤＭは、ＯＦＤＭシンボル内のいくつかのサブキャリアにわたってデータを変調する拡散スペクトル技術である。サブキャリアは、正確な周波数で間隔が空けられる。間隔を空けることは、受信機がサブキャリアからデータを復元することを可能にする「直交性」を提供する。時間ドメインでは、ガードインターバル（例えば、サイクリックプリフィクス）が、ＯＦＤＭシンボル間干渉を抑制するために各ＯＦＤＭシンボルに追加されうる。ＵＬは、高いピーク対平均電力比（ＰＡＰＲ）を補償するために、ＤＦＴ拡散ＯＦＤＭ信号の形態でＳＣ−ＦＤＭＡを使用することができる。
【００２０】
[0036]図３は、ＬＴＥにおけるＤＬフレーム構造の例を例示する図３００である。フレーム（１０ｍｓ）は、１０つの等しいサイズのサブフレームに分割されうる。各サブフレームは、２つの連続するタイムスロットを含むことができる。リソースグリッドは２つのタイムスロットを表すために使用され得、各タイムスロットは、リソースブロックを含む。リソースグリッドは、複数のリソース要素に分割される。ＬＴＥにおいて通常のサイクリックプリフィックスでは、リソースブロックは、周波数ドメインにおいて１２つの連続するサブキャリアを、ならびに時間ドメインにおいて７つの連続するＯＦＤＭシンボルを、合計８４つのリソース要素を目的に（for total）、含む。拡張されたサイクリックプリフィックスでは、リソースブロックは、周波数ドメインにおいて１２つの連続するサブキャリアを、ならびに時間ドメインにおいて６つの連続するＯＦＤＭシンボルを、合計７２つのリソース要素を目的に、含む。Ｒ３０２、３０４として示されている、リソース要素のいくつかは、ＤＬ基準信号（ＤＬ−ＲＳ）を含む。ＤＬ−ＲＳは、セル固有のＲＳ（ＣＲＳ）（共通ＲＳとも時折呼ばれる）３０２、およびＵＥ固有のＲＳ（ＵＥ−ＲＳ）３０４を含む。ＵＥ−ＲＳ３０４は、対応する物理ＤＬ共有チャネル（ＰＤＳＣＨ）がマッピングされているリソースブロック上のみで送信される。各リソース要素によって搬送されるビットの数は、変調スキームに依存する。したがって、ＵＥが受信するリソースブロックが多いほど、および変調スキームが高度であるほど、そのＵＥのためのデータレートは高くなる。
【００２１】
[0037]図４は、ＬＴＥにおけるＵＬフレーム構造の例を例示する図４００である。ＵＬのための利用可能なリソースブロックは、データセクションおよび制御セクションに区分されうる。制御セクションは、システム帯域幅の両端に形成され得、設定可能なサイズを有することができる。制御セクションにおけるリソースブロックは、制御情報の送信のためにＵＥに割り当てられうる。データセクションは、制御セクションに含まれないすべてのリソースブロックを含むことができる。ＵＬフレーム構造は、結果として連続するサブキャリアを含むデータセクションをもたらし、これは、単一のＵＥがデータセクションにおける連続するサブキャリアのすべてを割り当てられることを可能にしうる。
【００２２】
[0038]ＵＥは、ｅＮＢに制御情報を送信するために、制御セクションにおけるリソースブロック４１０ａ、４１０ｂを割り当てられうる。ＵＥはまた、ｅＮＢにデータを送信するために、データセクションにおけるリソースブロック４２０ａ、４２０ｂを割り当てられうる。ＵＥは、制御セクションにおける割り当てられたリソースブロック上で、物理ＵＬ制御チャネル（ＰＵＣＣＨ）において、制御情報を送信することができる。ＵＥは、データセクションにおける割り当てられたリソースブロック上で、物理ＵＬ共有チャネル（ＰＵＳＣＨ）において、データのみ、またはデータと制御情報の両方を送信することができる。ＵＬ送信は、サブフレームの両方のスロットにわたることができ、周波数を横断して（across frequency）ホッピングする（hop）ことができる。
【００２３】
[0039]リソースブロックのセットは、初期システムアクセスを行い、物理ランダムアクセスチャネル（ＰＲＡＣＨ）４３０においてＵＬ同期を達成するために使用されうる。ＰＲＡＣＨ４３０は、ランダムシーケンスを搬送し、いずれのＵＬデータ／シグナリングも搬送することはできない。各ランダムアクセスプリアンブルは、６つの連続するリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨのためのホッピングする周波数は存在しない。ＰＲＡＣＨの試みは、単一のサブフレーム（１ｍｓ）において、または少数しかない連続するサブフレームのシーケンスにおいて搬送され、ＵＥは、フレームごと（１０ｍｓ）に単一のＰＲＡＣＨの試みしか実行することができない。
【００２４】
[0040]図５は、ＬＴＥにおけるユーザおよび制御プレーンのための無線プロトコルアーキテクチャの例を例示している図５００である。ＵＥおよびｅＮＢのための無線プロトコルアーキテクチャは、レイヤ１、レイヤ２、およびレイヤ３の３つのレイヤで図示されている。レイヤ１（Ｌ１レイヤ）は、最下位のレイヤであり、様々な物理レイヤの信号処理機能を実行する。Ｌ１レイヤは、本明細書では物理レイヤ５０６と称されることになる。レイヤ２（Ｌ２レイヤ）５０８は、物理レイヤ５０６よりも上位にあり、物理レイヤ５０６を通じたＵＥとｅＮＢとの間のリンクを担う。
【００２５】
[0041]ユーザプレーンでは、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅＮＢで終端とされる。図示されていないけれども、ＵＥは、ネットワーク側のＰＤＮゲートウェイ１１８で終端するネットワークレイヤ（例えば、ＩＰレイヤ）、および接続のもう一方の端（例えば、遠端のＵＥ、サーバ、等）で終端するアプリケーションレイヤを含む、Ｌ２レイヤ５０８よりも上位の、いくつかの上位レイヤを有することができる。
【００２６】
[0042]ＰＤＣＰサブレイヤ５１４は、異なる無線ベアラと論理チャネルとの間での多重化を提供する。ＰＤＣＰサブレイヤ５１４はまた、無線送信のオーバヘッドを低減するための上位レイヤのデータパケットに関するヘッダ圧縮、データパケットを暗号化することによる安全性、ｅＮＢ間でのＵＥのためのハンドオーバサポートを提供する。ＲＬＣサブレイヤ５１２は、上位レイヤデータパケットのセグメント化およびリアセンブリ（reassembly）、損失データパケットの再送信、ハイブリッド自動再送要求（ＨＡＲＱ）による、順序の狂った受信を補償するデータパケットの並べ替えを提供する。ＭＡＣサブレイヤ５１０は、論理チャネルとトランスポートチャネルとの間の多重化を提供する。ＭＡＣサブレイヤ５１０はまた、１つのセルにおいて様々な無線リソース（例えば、リソースブロック）を複数のＵＥ間で割り振ることを担う。ＭＡＣサブレイヤ５１０はまた、ＨＡＲＱ演算を担う。
【００２７】
[0043]制御プレーンにおいて、ＵＥおよびｅＮＢのための無線プロトコルアーキテクチャは、制御プレーンではヘッダ圧縮機能が存在しないという点を除き、物理レイヤ５０６およびＬ２レイヤ５０８に関して実質的に同一である。制御プレーンはまた、レイヤ３（Ｌ３レイヤ）における無線リソース制御（ＲＲＣ）サブレイヤ５１６を含む。ＲＲＣサブレイヤ５１６は、無線リソース（例えば、無線ベアラ）を取得すること、およびｅＮＢとＵＥとの間でのＲＲＣシグナリングを使用してより下位のレイヤを構成することとを担う。
【００２８】
[0044]図６は、アクセスネットワークにおいてＵＥ６５０と通信状態にあるｅＮＢ６１０のブロック図である。ＤＬでは、コアネットワークからの上位レイヤのパケットが、コントローラ／プロセッサ６７５に提供される。コントローラ／プロセッサ６７５は、Ｌ２レイヤの機能を実行する。ＤＬにおいてコントローラ／プロセッサ６７５は、ヘッダ圧縮、暗号化、パケットセグメント化および並び替え、論理チャネルとトランスポートチャネルとの間での多重化、ならびに様々な優先順位メトリックに基づくＥ６５０への無線リソース割り振りを提供する。コントローラ／プロセッサ６７５はまた、ＨＡＲＱ演算、損失パケットの再送、ＵＥ６５０へのシグナリングを担う。
【００２９】
[0045]送信（ＴＸ）プロセッサ６１６は、Ｌ１レイヤ（すなわち、物理レイヤ）のための様々な信号処理機能を実行する。信号処理機能は、ＵＥ６５０における前方誤り訂正（ＦＥＣ）を容易にするようにコード化およびインターリーブすること、ならびに様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることを含む。コード化および変調されたシンボルはその後、並行なストリームに分けられる。各ストリームはその後、時間ドメインのＯＦＤＭシンボルストリームを搬送する物理チャネルを作り出すために、ＯＦＤＭサブキャリアにマッピングされ、時間ドメインおよび／または周波数ドメインにおいて基準信号（例えば、パイロット）で多重化され、そして逆高速フーリエ変換（ＩＦＦＴ）を使用して互いに組み合わされる。ＯＦＤＭストリームは、複数の空間ストリームを作り出すために空間的にプリコーディングされる。チャネル推定器６７４からのチャネル推定値は、コード化および変調スキームを決定するために、ならびに空間処理のために、使用されうる。チャネル推定値は、ＵＥ６５０によって送信されたチャネル状況のフィードバックおよび／または基準信号から導出されうる。各空間ストリームはその後、別個の送信機６１８ＴＸを介して異なるアンテナ６２０に提供されうる。各送信機６１８ＴＸは、送信のためにＲＦキャリアを各空間ストリームで変調することができる。
【００３０】
[0046]ＵＥ６５０において、各受信機６５４ＲＸは、そのそれぞれアンテナ６５２を通じて信号を受信する。各受信機６５４ＲＸは、ＲＦキャリア上に変調された情報を復元し、受信（ＲＸ）プロセッサ６５６に情報を提供する。ＲＸプロセッサ６５６は、Ｌ１レイヤの様々な信号処理機能を実行する。ＲＸプロセッサ６５６は、ＵＥ６５０に宛てられたあらゆる空間ストリームを復元するために、情報に対して空間処理を実行することができる。複数の空間ストリームがＵＥ６５０に宛てられている場合、それらは、ＲＸプロセッサ６５６によって単一のＯＦＤＭシンボルストリームに組み合わされうる。ＲＸプロセッサ６５６はその後、高速フーリエ変換（ＦＦＴ）を使用して、ＯＦＤＭシンボルストリームを時間ドメインから周波数ドメインへと変換する。周波数ドメイン信号は、ＯＦＤＭ信号の各サブキャリアに対して別個のＯＦＤＭシンボルストリームを備える。各サブキャリア上のシンボルおよび基準信号は、ｅＮＢ６１０によって送信された最もあり得る信号コンステレーションポイントを決定することによって、復元および復調される。これらの軟判定は、チャネル推定器６５８によって計算されたチャネル推定値に基づきうる。これらの軟判定はその後、物理チャネル上でｅＮＢ６１０によって元々送信されたデータおよび制御信号を復元するために、復号およびデインターリーブされる。データおよび制御信号はその後、コントローラ／プロセッサ６５９に提供される。
【００３１】
[0047]コントローラ／プロセッサ６５９は、Ｌ２レイヤを実装する。コントローラ／プロセッサは、プログラムコードおよびデータを記憶するメモリ６６０に関連付けられうる。メモリ６６０は、コンピュータ可読媒体と称されうる。ＵＬにおいて、コントローラ／プロセッサ６５９は、コアネットワークからの上位レイヤパケットを復元するためにトランスポートチャネルと論理チャネルとの間での逆多重化、パケットリアセンブリ、解読、ヘッダ圧縮解除（decompression）、制御信号処理を提供する。上位レイヤパケットはその後、データシンク６６２に提供され、それは、Ｌ２レイヤより上位のすべてのプロトコルレイヤを表す。様々な制御信号もまた、Ｌ３処理のために、データシンク６６２に提供されうる。コントローラ／プロセッサ６５９はまた、ＨＡＲＱ演算をサポートするための、肯定応答（ＡＣＫ）および／または否定応答（ＮＡＣＫ）プロトコルを使用する誤り検出を担う。
【００３２】
[0048]ＵＬでは、データソース６６７は、コントローラ／プロセッサ６５９に上位レイヤパケットを提供するために使用される。データソース６６７は、Ｌ２レイヤより上位のすべてのプロトコルレイヤを表す。ｅＮＢ６１０によるＤＬ送信に関係して説明された機能と同様に、コントローラ／プロセッサ６５９は、ヘッダ圧縮、暗号化、パケットセグメント化および並び替え、ならびにｅＮＢ６１０による無線リソースの割り振りに基づく論理チャネルとトランスポートチャネルとの間での多重化を提供することによって、ユーザプレーンおよび制御プレーンのためのＬ２レイヤを実装する。コントローラ／プロセッサ６５９はまた、ＨＡＲＱ演算、損失パケットの再送、ｅＮＢ６１０へのシグナリングを担う。
【００３３】
[0049]ｅＮＢ６１０によって送信されたフィードバックまたは基準信号からチャネル推定器６５８によって導出されたチャネル推定値は、適切なコード化および変調スキームを選択し、空間処理を容易にするために、ＴＸプロセッサ６６８によって使用されうる。ＴＸプロセッサ６６８によって生成された空間ストリームは、別個の送信機６５４ＴＸを介して異なるアンテナ６５２に提供されうる。各送信機６５４ＴＸは、送信のためにＲＦキャリアをそれぞれの空間ストリームで変調することができる。
【００３４】
[0050]ＵＬ送信は、ＵＥ６５０における受信機機能に関係して説明されたものと同様の方法で、ｅＮＢ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０に情報を提供する。ＲＸプロセッサ６７０は、Ｌ１レイヤを実装することができる。
【００３５】
[0051]コントローラ／プロセッサ６７５は、Ｌ２レイヤを実装する。コントローラ／プロセッサ６７５は、プログラムコードおよびデータを記憶するメモリ６７６に関係付けられうる。メモリ６７６はコンピュータ可読媒体と称されうる。ＵＬにおいて、制御／プロセッサ６７５は、ＵＥ６５０からの上部レイヤパケットを復元するためにトランスポートチャネルと論理チャネルとの間の逆多重化、パケットリアセンブリ、解読、ヘッダ圧縮解除、制御信号処理を提供する。コントローラ／プロセッサ６７５からの上位レイヤパケットはコアネットワークに提供されうる。コントローラ／プロセッサ６７５はまた、ＨＡＲＱ演算をサポートするための、ＡＣＫおよび／またはＮＡＣＫプロトコルを使用する誤り検出を担う。
【００３６】
[0052]図７は、デバイス対デバイス（またはピアツーピア）通信システム７００の図である。デバイス対デバイス通信システム７００は、複数のワイヤレスデバイス７０４、７０６、７０８、７１０を含む。デバイス対デバイス通信システム７００は、例えばワイヤレスワイドエリアネットワーク（ＷＷＡＮ）のようなセルラ通信システムと重複しうる。ワイヤレスデバイス７０４、７０６、７０８、７１０のうちのいくつかは、ＤＬ／ＵＬ  ＷＷＡＮスペクトルを使用するデバイス対デバイス通信において互いに（together）通信することができ、いくつかは基地局７０２と通信することができ、そしていくつかは両方を行うことができる。例えば、図７で図示されているように、ワイヤレスデバイス７０８、７１０はデバイス対デバイス通信状態にあり、ワイヤレスデバイス７０４、７０６はデバイス対デバイス通信状態にある。ワイヤレスデバイス７０４、７０６はまた、基地局７０２と通信している。
【００３７】
[0053]以下で論じられる実例的な方法および装置は、例えば、ＬＴＥ、近隣アウェアネスネットワーキング（ＮＡＮ）、ＦｌａｓｈＬｉｎＱ、ＷｉＭｅｄｉａ、Ｂｌｕｅｔｏｏｔｈ（登録商標）、ＺｉｇＢｅｅ、またはＩＥＥＥ８０２．１１規格に基づくＷｉ−Ｆｉに基づいたワイヤレスデバイス対デバイス通信システムのような、様々なワイヤレスデバイス対デバイス通信システムのいずれにも適用可能である。議論を簡略化するために、実例的な方法および装置は、ＬＴＥのコンテキスト内で論じられる。しかしながら、当業者は、実例的な方法および装置が、より一般に様々な他のワイヤレスデバイス対デバイス通信システムに適用可能であることを理解するだろう。
【００３８】
[0054]ワイヤレスデバイス対デバイス通信システムでは、デバイスが、そのデバイスの近傍内の他のデバイスを発見することが重要である。デバイスは、そのデバイスを識別するために使用される「表示」を搬送するピア発見信号をブロードキャストすることができる。上で言及された様々なデバイス対デバイス通信システムのすべてが、例えば、他のデバイスへの表示を広告すること、および他のデバイスからの表示をモニタすることによってピア発見を実行するためのメカニズムを提供する。
【００３９】
[0055]様々な前述のデバイス対デバイス通信システムは、様々な能力を用いるピア発見を実行するためのサポートを提供する。すなわち、様々なデバイス対デバイス通信システムは、距離、表示サイズ、発見期間、動作帯域、および電力消費、等の点で異なりうる。例えば、典型的なＬＴＥピア発見配備は、相対的に長い距離、小さな表示サイズ、および遅い発見期間（例えば、数十秒）を有し、これは、いくつかのアプリケーションには理想的ではないことがある。反対に、Ｂｌｕｅｔｏｏｔｈピア発見配備は、より短い距離、より大きな表示サイズ、およびより頻繁な発見期間を有することができる。Ｂｌｕｅｔｏｏｔｈの接続不可能な、方位付けされていない広告イベントは、１００ｍｓの最小広告インターバルを有しうる。ＷｉＦｉ／ＮＡＮでは、発見インターバルは、おおよそ０．５秒でありうる。異なるデバイス対デバイス通信システムが異なる環境の下でより適切でありうるので、デバイスは、いくつかのデバイス対デバイス通信システムを組み込み、同時にシステムを動作させることができる。このように、デバイスは、ピア発見サービスごとに、複数のおよび異なるアプリケーションプログラミングインターフェース（ＡＰＩ）を要求するだろう。
【００４０】
[0056]複数のデバイス対デバイス通信システムを稼働させるデバイス上のアプリケーションに単一の、統合された発見ＡＰＩを提示するニーズが存在する。単一の、統合された発見ＡＰＩは、様々な基礎をなすデバイス対デバイス通信システムからの１つまたは複数の表示を、それらが利用可能になると任意で組み合わせることによって、よりフレキシブルかつ動的な高レベル発見サービスを提供することができるだろう。例えば、ＬＴＥピア発見表示は、ＷｉＦｉ（中距離）および／またはＢｌｕｅｔｏｏｔｈ（短距離）を通じた補足発見情報で、そのような情報が利用可能になると強化されうる（augmented）。アプリケーションは、高レベル表示内のより動的なコンテンツを搬送するために、補足中／短距離発見情報を使用することができるだろう。高レベル表示はまた、組み込まれた低レートデータチャネルとしても使用されうる。一例では、デバイスは、ストリング／ＵＲＬを細分化（fragment）し、一連の発見フレームを通じてそのピース（pieces）を送信することによって、ＷｉＦｉ中距離チャネルを通じてそのストリング／ＵＲＬを送信することができるだろう。単一の、統合された発見ＡＰＩは、モニタリングデバイスが広告デバイスのより詳細なビューを、その両方のデバイスが互いに近接してより近くなると確立することを可能にしうる。さらに、補足的なクロステクノロジ発見情報の存在をシグナリングするための単一の、統合された発見ＡＰＩは、モバイルデバイスが電力を保持する（conserve）のを助けるために役立ちうる。例えば、プライマリＬＴＥ電力発見表示内の制御ビットは、この目的で使用されることができるだろう。
【００４１】
[0057]図８Ａは、ピアツーピア通信において使用される単一の、統合された発見ＡＰＩのための高レベル表示データに関する実例的な構造を例示するための図８００である。この例では、高レベル表示データが、プライマリ表示８０２および１つまたは複数の補足情報インジケータ８０４、８０６を含むことができる。プライマリ表示８０２は、ＷＷＡＮ（例えば、ＬＴＥ）をわたる第１のピア発見サービスに対応しうる。高レベル表示データは、補足情報がＷＬＡＮ（例えば、ＷｉＦｉ／ＮＡＮ）のような第２のピア発見サービス（例えば、中距離発見サービス）を通じて利用可能であると示す補足情報インジケータ８０４を含むことができる。高レベル表示データはさらに、補足情報がＰＡＮ（例えば、Ｂｌｕｅｔｏｏｔｈ）のような第３のピア発見サービス（例えば、短距離発見サービス）を通じて利用可能であると示す第２の補足情報インジケータ８０６を含むことができる。第１、第２、および第３のピア発見サービスは、距離および周期性の点で異なりうる。一構成では、広告デバイスは、補足情報が利用可能であると示す１つまたは複数の補足情報インジケータ８０４、８０６を持つプライマリ表示８０２を含む高レベル表示データを送信することができる。例えば、小売環境（retail setting）では、レストランは、プライマリ表示８０２を含む高レベル表示データを使用してその存在を広告することができる。高レベル表示データは、補足情報が、第２および第３のピア発見サービスを通じて利用可能であると示す補足情報インジケータ８０４、８０６を含むことができる。また、高レベル表示データは、ウェルカムメッセージ、レストランメニュー、および／またはクーポン情報に対応する補足情報８０８、８１０を含むことができる。
【００４２】
[0058]図８Ｂは、ピアツーピア通信システムにおける使用のための実例的なデータ構造を例示するための図８５０である。プライマリ表示８０２に補足情報８５４を関連付けるために、プライマリ表示識別子８５２は、中および／または短距離ピアツーピア通信システムを通じた送信のための補足情報８５４に付加されうる。例えば、プライマリ表示８０２を送信する広告デバイスは、プライマリ表示８０２にハッシュ関数を適用し、ハッシュ値を取得することができる。ハッシュ関数は、時間とともに（例えば、発見期間ごとに）変動しうる。計算されたハッシュ値は、プライマリ表示識別子８５２として使用され、送信されているどの中および／または短距離ピア発見情報にも付加される（例えば、先頭に追加される）か、またはどの中および／または短距離ピア発見情報とも一緒に含まれうる。プライマリ表示識別子８５２は、モニタリングデバイスが、プライマリ表示８０２に補足情報８５４を関連付けることを可能にする識別子としての役割をする。
【００４３】
[0059]図９は、補足的なクロステクノロジ発見に関連する実例的な方法を例示している図である。デバイスＸ９０４は、基地局、アクセスポイント、ＵＥ、または別のワイヤレスデバイスでありうる。デバイスＸ９０４は、ピア発見信号９０６、９０８、および９１０を送信することができる。デバイスＸ９０４は、プライマリ表示および１つまたは複数の補足情報インジケータを含むことができる、第１のセットの情報を含む第１のピア発見信号９０６を送信することができる。補足情報インジケータは、補足情報が、他のピア発見ネットワーク上で利用可能であると示すことができる。デバイスＸ９０４は、第１の周期性および第１のピア発見距離を持つ第１のピア発見信号９０６を送信することができる。例えば、デバイスＸ９０４がレストランにあり得、すぐ近くのＵＥにそのレストランを広告するために、ＬＴＥのようなＷＷＡＮを通じて第１のピア発見信号９０６において第１のセットの情報を送信することができる。
【００４４】
[0060]ピア発見信号９０６は、デバイスＸ９０４が、第２のセットの情報を含む第２のピア発見信号９０８を送信していると示す補足情報インジケータを含むことができる。デバイスＸ９０４は、第２の周期性および第２のピア発見距離を持つ第２のピア発見信号９０８において第２のセットの情報を送信することができる。第２の周期性は第１の周期性とは異なりうる、および／または第２のピア発見距離は第１のピア発見距離とは異なりうる。第２のセットの情報は、第１のセットの情報に関連付けられうる。例えば、第２のセットの情報は、第１のセットの情報に関連する追加の情報または詳細を提供することができる。一構成では、第２のセットの情報は、第１のセットの情報に基づく第１の識別子を含むことができる。一態様では、デバイスＸ９０４は、第１の識別子としての役割をする、ハッシュ値を生成するために、第１のセットの情報に対して（例えば、プライマリ表示に対して）ハッシュ関数を適用することができる。ハッシュ関数は、経時的に（例えば、発見期間ごとに）変動しうる。例えば、第１のセットの情報を送信することに加え、デバイスＸ９０４はまた、レストランメニューを提供するために、第２のピア発見信号９０８において、ＷｉＦｉ／ＮＡＮのようなＷＬＡＮを通じて第２のセットの情報を送信することもできる。第２のセットの情報で提供されるレストランメニューは、第１の識別子に基づいて第１のセットの情報で識別されたレストランに関連づけられうる。この例では、ＷＬＡＮは、ＷＷＡＮよりも短いピア発見距離およびＷＷＡＮよりも大きな周期性を有しうる。
【００４５】
[0061]ピア発見信号９０６は、デバイスＸ９０４が、第３のセットの情報を含む第３のピア発見信号９１０を送信していると示す補足情報インジケータを含むことができる。デバイスＸ９０４は、第１の周期性および第１のピア発見距離、ならびに／または第２の周期性および第２のピア発見距離、とは異なる第３の周期性および第３のピア発見距離で第３のセットの情報を送信することができる。第３のセットの情報は、第１または第２のセットの情報に関連付けられうる。例えば、第３のセットの情報は、第１または第２のセットの情報に関連する追加の情報または詳細を提供することができる。一構成では、第３のセットの情報は、第１または第２のセットの情報に基づく第３の識別子を含む。一態様では、デバイスＸ９０４は、第２の識別子を生成するために、第１または第２のセットの情報に対してハッシュ関数を適用することができる。例えば、デバイスＸ９０４は、レストランクーポンを提供するために、ＢｌｕｅｔｏｏｔｈのようなＰＡＮを通じて第３のセットの情報を送信することができる。この例では、レストランクーポンは、第２の識別子に基づいて第１のセットの情報で識別されたレストランに関連づけられうる。この例では、ＰＡＮは、ＷＷＡＮとＷＬＡＮの両方よりも短いピア発見距離およびその両方よりも大きな周期性を有しうる。
【００４６】
[0062]ＵＥ９０２上で、ユーザアプリケーションは、１つまたは複数のピア発見信号をモニタするようにＵＥ９０２にリクエストすることができる。ＵＥ９０２が第１の周期性および第１のピア発見距離を持つ第１のピア発見信号９０６の距離内に入る（come within）とき、ＵＥ９０２は、第１のセットの情報を受信することができる。ピア発見信号９０６における第１のセットの情報は、デバイスＸ９０４からのプライマリ表示を含むことができる。デバイスＸ９０４からのピア発見信号９０６はまた、補足情報が他のピア発見ネットワーク上で利用可能であると示す１つまたは複数の補足情報インジケータを含むことができる。補足情報が利用可能であるとき、ＵＥ９０２上で選択されたユーザ選好に依存して、ＵＥ９０２は、補足情報のために他のピア発見ネットワークをモニタし始めることができる。例えば、ユーザアプリケーションは、ＵＥ９０２が、レストランからのピア発見信号９０６をモニタすることをリクエストすることができる。デバイスＸ９０４は、レストラン内からピア発見信号９０６、９０８、および９１０を送信していることがある。ＵＥ９０２は、ＬＴＥのようなＷＷＡＮを通じてピア発見信号９０６において、レストランが近くにあると広告する第１のセットの情報を受信することができる。第１のセットの情報を受信し、第１のセットの情報がアプリケーションのリクエストと一致することを決定すると、ＵＥ９０２は、リクエストを行ったＵＥ９０２上のアプリケーションにexpression_matchインジケーションを送ることができる。さらに、レストランから第１のセットの情報を受信すると、ＵＥ９０２は、補足情報が第２のピア発見信号９０８および／または第３のピア発見信号９１０上で利用可能であることを、第１のセットの情報における補足情報インジケータに基づいて習得することができる。ＵＥ９０２上で選択されたユーザ選好に依存して、ＵＥ９０２は、補足情報のために他のピア発見信号９０８、９１０をモニタし始めることができる。
【００４７】
[0063]ＵＥ９０２は、ＵＥ９０２’によって示された異なる位置に移動することができる。ＵＥ９０２’の新たな位置は、デバイスＸ９０４に対するより近い近接状態にありうる。新たな位置で、ＵＥ９０２’は、第１のピア発見信号９０６と第２のピア発見信号９０８の両方の距離内にある。ＵＥ９０２’が第２のピア発見信号９０８をモニタしている場合、ＵＥ９０２’は、第２のピア発見信号９０８において第２のセットの情報を受信することができる。第２のピア発見信号９０８は、第１のピア発見信号９０６の第１の周期性および／または第２のピア発見信号９０６の第１のピア発見距離とは異なる第２の周期性および第２のピア発見距離を有することができる。
【００４８】
[0064]第２のセットの情報を受信すると、ＵＥ９０２’は、第２のセットの情報が第１のセットの情報に関連付けられているかどうかを決定することができる。一構成では、第２のセットの情報は、第１のセットの情報に第２のセットの情報を関連付ける第１の識別子を含むことができる。ＵＥ９０２’は、ハッシュ値を生成するために、第１のセットの情報にハッシュ関数を適用することができる。ハッシュ関数は、経時的に（例えば、発見期間ごとに）変動しうる。ＵＥ９０２’は、第１の識別子とハッシュ値を比較することができる。ハッシュ値と第１の識別子とが同じである場合、第２のセットの情報は、第１のセットの情報に関連付けられている。例えば、ＵＥ９０２’がレストランのより近くに移動する（例えば、駐車場に到着する）と、ＵＥ９０２’は、ピア発見信号９０８を求めて（for）、ＷｉＦｉ／ＮＡＮのようなＷＬＡＮを通じてリッスンしていることがある。ＵＥ９０２’は、例えば、チャネル６上でＷｉＦｉ／ＮＡＮクラスタに気づき、ＷｉＦｉ／ＮＡＮ発見ウィンドウ中にリスンし始めることができる。ＵＥ９０２’は、第１のセットの情報にＷｉＦｉ／ＮＡＮ発見フレームを関連付ける第１の識別子およびデータを含むＷｉＦｉ／ＮＡＮ発見フレームを受信することができる。ＵＥ９０２’は、ハッシュ値を生成するために、第１のセットの情報にハッシュ関数を適用し、第１の識別子とハッシュ値を比較することができる。ハッシュ値が第１の識別子と一致する場合、ＵＥ９０２’は、ＷｉＦｉ／ＮＡＮ発見フレームが第１のセットの情報に関連付けられていると決定するだろう。ＡＰＩは、長さ、ペイロードバイト、およびピア発見距離識別子を含みうる、expression_match_updateインジケーションをアプリケーションに送出することができる。ＡＰＩは、第１の識別子を取り除き、アプリケーションにデータを配信することができる。アプリケーションはその後、データを検査および記憶することができる。データがフラグメントである場合、データは、データのすべてが受信されてしまうまで記憶される。ＵＥ９０２’は、第１のセットの情報に関連付けられた第２のＷｉＦｉ／ＮＡＮ発見フレームを受信することができる。第２のＷｉＦｉ／ＮＡＮ発見フレームは、同じ第１の識別子を有するが、異なるペイロードデータを有する。アプリケーションは、データを検査し、第２のＷｉＦｉ／ＮＡＮ発見フレームがデータの残りであると決定することができる。この点で、アプリケーションは、データをディスプレイおよび／または送信することができる。例えば、一度レストランメニューに関するデータのすべてが受信されてしまうと、アプリケーションはレストランメニューをディスプレイすることができる。
【００４９】
[0065]ＵＥ９０２’は、ＵＥ９０２’’によって示されているまた別の位置に移動することができる。ＵＥ９０２’’の新たな位置は、デバイスＸ９０４に対するより近い近接状態にありうる。新たな位置では、ＵＥ９０２’’は、第１、第２、および第３のピア発見信号９０６、９０８、および９１０それぞれの距離内にある。ＵＥ９０２’’が第３のピア発見信号９１０をモニタしている場合、ＵＥ９０２’’は、第３のピア発見信号９１０において第３のセットの情報を受信することができる。第３のピア発見信号９１０は、第１のピア発見信号９０６の第１の周期性および第１のピア発見距離、ならびに／または第２のピア発見信号９０８の第２の周期性および第２のピア発見距離とは異なる第３の周期性および第３のピア発見距離を有することができる。
【００５０】
[0066]第３のセットの情報を受信すると、ＵＥ９０２’’は、第３のセットの情報が第１および／または第２のセットの情報のどちらかに関連付けられているかどうかを決定することができる。一構成では、第３のセットの情報は、第１および／または第２のセットの情報に第３のセットの情報を関連付ける第２の識別子を含むことができる。ＵＥ９０２’’は、ハッシュ値を生成するために、第１または第２のセットの情報にハッシュ関数を適用することができる。ＵＥ９０２’’は、第２の識別子とハッシュ値を比較することができる。ハッシュ値と第２の識別子とが同じである場合、第３のセットの情報は、第１および／または第２のセットの情報に関連付けられている。例えば、ＵＥ９０２’’がレストランの中に移動すると、ＵＥ９０２’’は、ピア発見信号９１０を求めて、ＢｌｕｅｔｏｏｔｈのようなＰＡＮを通じてリスンしていることがある。ＵＥ９０２’’は、例えば、第１のセットの情報に第３のセットの情報を関連付ける第２の識別子を含むＢｌｕｅｔｏｏｔｈプロトコルデータユニット（ＰＤＵ）を受信することができる。例えば、第３のセットの情報がクーポンコードである場合、ＵＥ９０２’’は、ハッシュ値を生成するために第１のセットの情報からのレストランデータに対してハッシュ関数を適用し、第２の識別子とそのハッシュ値を比較することができる。代わりとして、ＵＥ９０２’’は、ハッシュ値を生成するために第２のセットの情報からのレストランメニュー情報に対してハッシュ関数を適用し、第２の識別子とそのハッシュ値を比較することができる。第２の識別子が生成されたハッシュ値と一致するとそれらの比較のどちらかが示す場合、ＵＥ９０２’’は、クーポンがレストランまたはレストランメニューに関連付けられていると決定する。そのような決定の際、ＡＰＩは、アプリケーションに別のexpression_match_updateインジケーションを送出ことができる。アプリケーションはその後、データを検査し、ユーザにクーポンコードをディスプレイすることができる。
【００５１】
[0067]図１０は、どのように高レベル表示データがＵＥ上のアプリケーションに提示されるのかを例示する図１０００である。例えば、ＵＥが、広告デバイスのＬＴＥピア発見表示の距離内にあるとき、ＵＥは、プライマリ表示一致が存在するかどうかを決定することができる。例えば、ＵＥがそれをモニタするように命令された所望のプライマリ表示をＵＥが受信するとき、プライマリ表示一致が存在しうる。プライマリ表示一致が存在することを決定すると、ＵＥは、他のピア発見ネットワーク上で補足情報をモニタすべきかどうかを、どの補足情報インジケータおよびユーザ選好に基づいても決定することができる。ＵＥが広告デバイスのより近くに移動すると、補足情報が利用可能になりうる。ＵＥが、補足情報のために他のピア発見ネットワークをモニタするように命令される場合、ＵＥは、距離内の補足情報を受信することができる。例えば、ＵＥが中距離情報（例えば、ＷｉＦｉサービス特有Ｉｎｆｏ１）の距離内に入る場合、ＵＥは、中距離情報がプライマリ表示に関連付けられているかどうかを決定するだろう。中距離情報がプライマリ表示に関連付けられている場合、中距離情報は、アプリケーションに配信されるだろう。第２の中距離情報（例えば、ＷｉＦｉサービス特有Ｉｎｆｏ２）が受信され、第２の中距離情報がプライマリ表示と一致するとＵＥが決定する場合、第２の中距離情報は、アプリケーションに配信される。ＵＥが再び広告デバイスのより近くに移動する場合、補足情報が利用可能になりうる。例えば、ＵＥが短距離情報（例えば、Ｂｌｕｅｔｏｏｔｈ広告Ｉｎｆｏ１）の距離内に入る場合、ＵＥは、短距離情報がプライマリ表示に関連付けられているかどうかを決定することができる。そうである場合、短距離情報は、アプリケーションに配信されるだろう。第２の短距離情報（例えば、Ｂｌｕｅｔｏｏｔｈ広告Ｉｎｆｏ２）が受信され、第２の短距離情報がプライマリ表示と一致するとＵＥが決定する場合、第２の短距離情報は、アプリケーションに配信される。最後の短距離情報（例えば、Ｂｌｕｅｔｏｏｔｈ広告Ｉｎｆｏ３）が受信され、最後の短距離情報がプライマリ表示と一致するとＵＥが決定する場合、最後の短距離情報は、アプリケーションに配信される。要するに、図１０は、ＵＥが広告デバイスに近づき、その後広告デバイスのすぐそばの近傍に居残るときに、アプリケーションに提示された高レベル表示データがどのように補足されうるのかを描写している。
【００５２】
[0068]図１１は、ワイヤレス通信の方法のフローチャート１１００である。方法は、基地局、アクセスポイント、またはＵＥ（例えば、デバイスＸ９０４）のような装置によって実行されうる。ステップ１１０２で、装置は、第１の周期性および第１のピア発見距離を持つ第１のピア発見信号において第１のセットの情報を、ＵＥ（例えば、ＵＥ９０２）に送信することができる。一構成では、装置は、第１のピア発見信号において、プライマリ表示および１つまたは複数の補足情報インジケータを含むことができる第１のセットの情報を送信することができる。補足情報インジケータは、補足情報が、他のピア発見ネットワーク上で利用可能であると示すことができる。例えば、装置は、レストランを広告するプライマリ表示、およびレストランについての追加の情報が、ＷＬＡＮ（例えば、ＷｉＦｉ）およびＰＡＮ（例えば、Ｂｌｕｅｔｏｏｔｈ）のような他のピア発見ネットワーク上で利用可能であると示す補足情報インジケータ、を含む第１のセットの情報を、ＷＷＡＮ（例えば、ＬＴＥ）を通じて送信することができる。
【００５３】
[0069]ステップ１１０４で、装置は、第１のセットの情報に基づいて、第１の識別子を生成することができる。第１の識別子は、第１のセットの情報のプライマリ表示から生成されうる。装置は、ハッシュ値を生成するために、第１のセットの情報に対してハッシュ関数を適用することができる。ハッシュ関数はまた、経時的に（例えば、発見期間ごとに）変動しうる。生成されたハッシュ値は、第１の識別子としての役割をすることができるだろう。
【００５４】
[0070]ステップ１１０６で、装置は、第２の周期性および第２のピア発見距離を持つ第２のピア発見信号において第２のセットの情報を送信することができる。第２の周期性は第１の周期性とは異なりうる、および／または第２のピア発見距離は第１のピア発見距離とは異なりうる。例えば、第２の周期性は第１の周期性よりも大きく有り得、第２のピア発見距離は第１のピア発見距離よりも小さくありうる。第２のセットの情報は、ＵＥが第１のセットの情報に第２のセットの情報を関連付けることができるように、第１の識別子で送信されうる。例えば、装置は、ＷＬＡＮを通じて、レストランに関連付けられたメニューに関する情報を含む第２のセットの情報を送信することができる。
【００５５】
[0071]ステップ１１０８で、装置は、第１または第２のセットの情報に基づいて、第２の識別子を生成することができる。装置は、ハッシュ値を生成するために、第１または第２のセットの情報に対してハッシュ関数を適用することができる。ハッシュ関数は、経時的に（例えば、発見期間ごとに）変動しうる。生成されたハッシュ値は、第２の識別子としての役割をすることができるだろう。
【００５６】
[0072]最後に、ステップ１１１０で、装置は、第３の周期性およびピア発見距離を持つ第３のピア発見信号において第３のセットの情報をＵＥに送信することができる。第３の周期性および第３のピア発見距離は、第１の周期性および第１のピア発見距離、ならびに／または第２の周期性および第２のピア発見距離とは異なりうる。例えば、第３の周期性は第１および／または第２の周期性よりも大きく有り得、第３のピア発見距離は第１および／または第２のピア発見距離よりも小さくありうる。第３のセットの情報は、ＵＥが第１または第２のセットの情報に第３のセットの情報を関連付けることができるように、第２のセットの識別子で送信されうる。例えば、装置は、ＰＡＮを通じて、レストランまたはレストランメニューに関連付けられたフードアイテムに関するクーポンのような第３のセットの情報を送信することができる。
【００５７】
[0073]図１２は、ワイヤレス通信の方法のフローチャート１２００である。方法は、ＵＥ（例えば、ＵＥ９０２、ＵＥ９０２’、およびＵＥ９０２’’）によって実行されうる。ステップ１２０２で、ＵＥは、第１の周期性および第１のピア発見距離を持つ第１のピア発見信号において第１のセットの情報を、基地局（例えば、デバイスＸ９０４）から受信することができる。例えば、ＵＥは、第１のピア発見信号において、プライマリ表示および１つまたは複数の補足情報インジケータを含むことができる第１のセットの情報を受信することができる。補足情報インジケータは、補足情報が、他のピア発見ネットワーク上で利用可能であると示すことができる。例えば、ＵＥは、ＵＥの近傍にあるレストランを広告するプライマリ表示、およびレストランについての追加の情報が、ＷＬＡＮ（例えば、ＷｉＦｉ）およびＰＡＮ（例えば、Ｂｌｕｅｔｏｏｔｈ）のような他のピア発見ネットワーク上で利用可能であると示す補足情報インジケータ、を含む第１のセットの情報を、ＷＷＡＮ（例えば、ＬＴＥ）を通じて受信することができる。ＵＥのユーザ選好に依存して、ＵＥは、補足情報インジケータに基づいて補足情報のために他のピア発見ネットワークをモニタし始めることができる。
【００５８】
[0074]ステップ１２０４で、ＵＥは、第２の周期性および第２のピア発見距離を持つ第２のピア発見信号において第２のセットの情報を、基地局から受信することができる。第２の周期性および第２のピア発見距離は、第１の周期性および第１のピア発見距離とは異なりうる。例えば、第２の周期性は第１の周期性よりも大きく有り得、第２のピア発見距離は第１のピア発見距離よりも小さくありうる。ＵＥは、ＵＥが第１のセットの情報に第２のセットの情報を関連付けることができるように、第１の識別子で第２のセットの情報を受信することができる。
【００５９】
[0075]ステップ１２０６で、ＵＥは、受信された第１の識別子に基づいて、第２のセットの情報が第１のセットの情報に関連付けられているかどうかを決定することができる。例えば、ＵＥは、受信された第１のセットの情報に、時間変動しうる（time-variable）ハッシュ関数を適用し、第１の識別子とハッシュ値を比較することができる。ハッシュ値が第１の識別子と一致する場合、ＵＥは、第２のセットの情報が第１のセットの情報に関連付けられていると決定し、第２のセットの情報を記憶することができる。しかしながら、ハッシュ値が第１の識別子と一致しない場合、ＵＥは、第１および第２のセットの情報が互いに関連付けられないと決定し、第２のセットの情報を破棄することができる。例えば、ＵＥは、ＷＬＡＮを通じて第２のセットの情報を受信し、第２のセットの情報が、第１のセットの情報から発見されたレストランに関連づけられたレストランメニューに関するデータを含むと決定することができる。
【００６０】
[0076]ステップ１２０８で、ＵＥは、第３の周期性および第３のピア発見距離を持つ第３のピア発見信号において第３のセットの情報を、基地局から受信することができる。第３の周期性および第３のピア発見距離は、第１の周期性および第１のピア発見距離、ならびに／または第２の周期性および第２のピア発見距離とは異なりうる。例えば、第３の周期性は第１および／または第２の周期性よりも大きく有り得、第３のピア発見距離は第１および／または第２のピア発見距離よりも小さくありうる。第３のセットの情報は、ＵＥが第１または第２のセットの情報に第３のセットの情報を関連付けることができるように、第２のセットの識別子で送信されうる。
【００６１】
[0077]最後に、ステップ１２１０で、ＵＥは、受信された第２の識別子に基づいて、第３のセットの情報が、第１または第２のセットの情報に関連付けられているかどうかを決定することができる。例えば、ＵＥは、受信された第１または第２のセットの情報に、時間変動しうるハッシュ関数を適用し、第２の識別子とハッシュ値を比較することができる。ハッシュ値が第２の識別子と一致する場合、ＵＥは、第３のセットの情報が、第１または第２のセットの情報に関連付けられていると決定し、第３のセットの情報を記憶することができる。しかしながら、ハッシュ値が第２の識別子と一致しない場合、ＵＥは、第３のセットの情報が、第１または第２のセットの情報に関連付けられていないと決定し、第３のセットの情報を破棄することができる。例えば、ＵＥは、ＰＡＮを通じて第３のセットの情報を受信し、第３のセットの情報が、第１のセットの情報から発見されたレストランに関連づけられたメニュー項目のためのクーポンに関するデータを含むと決定することができる。
【００６２】
[0078]図１３は、実例的な装置１３０２における異なるモジュール／手段／コンポーネント間のデータフローを例示する概略的なデータフロー図１３００である。装置は、基地局、アクセスポイント、ＵＥ、または別のワイヤレスデバイスでありうる。装置は、様々なピア発見信号を通じた送信のためのピア発見表示を生成するように構成されうるピア発見表示モジュール１３０４を含む。ピア発見表示モジュール１３０４は、識別子生成モジュール１３０６および送信モジュール１３０８の両方にピア発見表示を送るように構成されうる。送信モジュール１３０８は、第１の周期性および第１のピア発見距離を持つ第１のピア発見信号において第１のセットの情報（例えば、ピア発見表示）を送信するように構成されうる。送信モジュール１３０８はさらに、第２の周期性および第２のピア発見距離を持つ第２のピア発見信号において第２のセットの情報を送信するように構成されうる。第２の周期性は第１の周期性とは異なり得、第２のピア発見距離は第１のピア発見距離よりも小さくあり得、第２のセットの情報は、第１のセットの情報に関連付けられうる。第１のセットの情報は、第２のセットの情報が第２の周期性および第２のピア発見距離で送信されることになると示す情報を含むことができる。識別子生成モジュール１３０６は、第１のセットの情報に基づいて識別子を生成するように構成され得、そこにおいてその識別子は第２のセットの情報で送信される。識別子は、第１のセットの情報に適用されたハッシュ関数に基づいて生成されたハッシュ値であり得、そのハッシュ関数は経時的に変動しうる。送信モジュール１３０８は、ＷＷＡＮを介して第１のセットの情報を、ＷＬＡＮまたはＰＡＮのうちの１つを介して第２のセットの情報を、送信するように構成されうる。送信モジュール１３０８は、第３の周期性および第３のピア発見距離を持つ第３のピア発見信号において第３のセットの情報を送信するように構成されうる。第３の周期性は第２の周期性とは異なり得、第３のピア発見距離は第２のピア発見距離よりも小さくあり得、第３のセットの情報は、第１のセットの情報に関連付けられうる。第１のセットの情報は、第２のセットの情報が第２の周期性および第２のピア発見距離で送信されることになり、第３のセットの情報が第３の周期性および第３のピア発見距離で送信されることになると示す情報を含むことができる。識別子生成モジュール１３０６は、第１のセットの情報に基づいて、第１の識別子を生成するように構成されうる。第１の識別子は、第２のセットの情報で送信されうる。識別子生成モジュール１３０６はさらに、第１のセットの情報または第２のセットの情報のうちの１つに基づいて、第２の識別子を生成するように構成されうる。第２の識別子は、第３のセットの情報で送信されうる。第１の識別子は、第１のセットの情報に適用された第１のハッシュ関数に基づいて生成されたハッシュ値であり得、第２の識別子は、第１のセットの情報または第２のセットの情報のうちの該１つに適用された第２のハッシュ関数に基づいて生成されたハッシュ値でありうる。第１のセットの情報は、ＷＷＡＮを介して送信され得、第２のセットの情報は、ＷＬＡＮを介して送信され得、第３のセットの情報は、ＰＡＮを介して送信されうる。
【００６３】
[0079]装置は、上述の図１１のフローチャートにおけるアルゴリズムのステップの各々を実行する追加のモジュールを含むことができる。このように、上述の図１１のフローチャートにおける各ステップはモジュールによって実行され得、装置はそれらモジュールのうちの１つまたは複数を含むことができる。モジュールは、述べられたプロセス／アルゴリズムを実行するように特に構成された、述べられたプロセス／アルゴリズムを実行するように構成されたプロセッサによって実装された、プロセッサによる実装のためにコンピュータ可読媒体内に記憶された、あるいはそれらの何らかの組み合わせの、１つまたは複数のハードウェアコンポーネントでありうる。
【００６４】
[0080]図１４は、処理システム１４１４を用いる装置１３０２’のためのハードウェア実装の例を例示する図１４００である。処理システム１４１４は、バス１４２４によって概して表されているバスアーキテクチャで実装されうる。バス１４２４は、処理システム１４１４の指定のアプリケーションおよび全体的な設計制約に依存して、いずれの数の相互接続するバスおよびブリッジも含むことができる。バス１４２４は、プロセッサ１４０４、モジュール１３０４、１３０６、１３０８、およびコンピュータ可読媒体／メモリ１４０６によって表されている１つまたは複数のプロセッサおよび／またはハードウェアモジュールを含む様々な回路を互いにリンクさせる。バス１４２４はまた、タイミングソース、周辺機器、電圧レギュレータ、電力管理回路のような様々な他の回路をリンクさせることができ、これらは、当該技術分野で周知であり、したがってこれ以上説明されない。
【００６５】
[0081]処理システム１４１４は、トランシーバ１４１０に結合されうる。トランシーバ１４１０は、１つまたは複数のアンテナ１４２０に結合されている。トランシーバ１４１０は、送信媒体を通じて様々な他の装置と通信するための手段を提供する。トランシーバ１４１０は、１つまたは複数のアンテナ１４２０から信号を受信し、受信された信号から情報を抽出し、その抽出された情報を処理システム１４１４に提供する。加えて、トランシーバ１４１０は、処理システム１４１４、具体的には送信モジュール１３０８から情報を受信し、受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６上に記憶されたソフトウェアの実行を含む、一般的な処理を担う。ソフトウェアは、プロセッサ１４０４によって実行されるとき、処理システム１４１４に、あらゆる特定の装置に関して上で説明された様々な機能を実行させる。コンピュータ可読媒体／メモリ１４０６はまた、ソフトウェアを実行するときにプロセッサ１４０４によって操作されるデータを記憶するためにも使用されうる。処理システムはさらに、モジュール１３０４、１３０６および１３０８のうちの少なくとも１つを含む。モジュールは、プロセッサ１４０４において稼働し、コンピュータ可読媒体／メモリ１４０６に内在する／記憶されたソフトウェアモジュール、プロセッサ１４０４に結合された１つまたは複数のハードウェアモジュール、またはそれらの何らかの組み合わせでありうる。処理システム１４１４は、ｅＮＢ６１０のコンポーネントであり得、メモリ６７６ならびに／またはＴＸプロセッサ６１６、ＲＸプロセッサ６７０、およびコントローラ／プロセッサ６７５のうちの少なくとも１つを含むことができる。
【００６６】
[0082]一構成では、ワイヤレス通信のための装置１３０２／１３０２’は、様々なピア発見信号を通じた送信のためのピア発見表示を生成するための手段を含む。装置は、第１の周期性および第１のピア発見距離を持つ第１のピア発見信号において第１のセットの情報（例えば、ピア発見表示）を送信するための手段を含むことができる。装置はさらに、第２の周期性および第２のピア発見距離を持つ第２のピア発見信号において第２のセットの情報を送信するための手段を含むことができる。第２の周期性は第１の周期性とは異なり得、第２のピア発見距離は第１のピア発見距離よりも小さくあり得、第２のセットの情報は、第１のセットの情報に関連付けられうる。一構成では、第１のセットの情報は、第２のセットの情報が第２の周期性および第２のピア発見距離で送信されることになると示す情報を含むことができる。装置は、第１のセットの情報に基づいて、その識別子を生成するための手段を含むことができ、そこにおいてその識別子は第２のセットの情報で送信される。一構成では、識別子を生成するための手段は、ハッシュ値を生成するために第１のセットの情報にハッシュ関数を適用するように構成されうる。そのような構成では、ハッシュ関数は経時的に変動しうる。一構成では、送信するための手段は、ＷＷＡＮを介して第１のセットの情報を、ＷＬＡＮまたはＰＡＮのうちの１つを介して第２のセットの情報を、送信するように構成されうる。装置はさらに、第３の周期性および第３のピア発見距離を持つ第３のピア発見信号において第３のセットの情報を送信するための手段を含むことができる。第３の周期性は第２の周期性とは異なり得、第３のピア発見距離は第２のピア発見距離よりも小さくあり得、第３のセットの情報は、第１のセットの情報に関連付けられうる。一構成では、第１のセットの情報は、第２のセットの情報が第２の周期性および第２のピア発見距離で送信されることになり、第３のセットの情報が第３の周期性および第３のピア発見距離で送信されることになると示す情報を含むことができる。装置は、第１のセットの情報に基づいて第１の識別子を生成するための手段と、第１のセットの情報または第２のセットの情報のうちの１つに基づいて第２の識別子を生成するための手段とを含むことができ、第２の識別子は、第３のセットの情報で送信される。一構成では、第１の識別子は、第１のセットの情報に適用された第１のハッシュ関数に基づいて生成されたハッシュ値であり得、第２の識別子は、第１のセットの情報または第２のセットの情報のうちの該１つに適用された第２のハッシュ関数に基づいて生成されたハッシュ値でありうる。一構成では、第１のセットの情報は、ＷＷＡＮを介して送信され得、第２のセットの情報は、ＷＬＡＮを介して送信され得、第３のセットの情報は、ＰＡＮを介して送信されうる。上述の手段は、上述の手段によって記載された機能を実行するよう構成された装置１３０２’の処理システム１４１４および／または装置１３０２の上述のモジュールのうちの１つまたは複数でありうる。上で説明されたように、処理システム１４１４は、ＴＸプロセッサ６１６、ＲＸプロセッサ６７０、およびコントローラ／プロセッサ６７５を含むことができる。このように一構成では、上述の手段が、上述の手段によって記載された機能を実行するように構成されたＴＸプロセッサ６１６、ＲＸプロセッサ６７０、コントローラ／プロセッサ６７５でありうる。
【００６７】
[0083]図１５は、実例的な装置１５０２における異なるモジュール／手段／コンポーネント間のデータフローを例示する概略的なデータフロー図１５００である。装置はＵＥでありうる。装置は、第１の周期性および第１のピア発見距離を持つ第１のピア発見信号において第１のセットの情報を受信するように構成されうる受信モジュール１５０４を含む。受信モジュール１５０４はさらに、第２の周期性および第２のピア発見距離を持つ第２のピア発見信号において第２のセットの情報を受信するように構成されうる。第２の周期性は第１の周期性とは異なり得、第２のピア発見距離は第１のピア発見距離よりも小さくありうる。装置は、第２のセットの情報が第１のセットの情報に関連付けられていると決定するように構成されうる識別子処理モジュール１５０６を含むことができる。第１のセットの情報は、第２のセットの情報が第２の周期性および第２のピア発見距離で送信されることになると示す情報を含むことができ、第２のセットの情報は、第２のセットの情報が第２の周期性および第２のピア発見距離で送信されることになると示す情報に基づいて受信モジュール１５０４によって受信されうる。受信モジュール１５０４はさらに、第２のセットの情報で識別子を受信するように構成されうる。識別子処理モジュール１５０６は、受信された識別子に基づいて、第２のセットの情報が第１のセットの情報に関連付けられていると決定するように構成されうる。識別子処理モジュール１５０６はさらに、ハッシュ値を生成するために第１のセットの情報にハッシュ関数を適用し、識別子とそのハッシュ値を比較し、ハッシュ値と識別子とが同じであるとき、第２のセットの情報が第１のセットの情報に関連付けられていると決定するように構成されうる。ハッシュ関数は経時的に変動しうる。第１のセットの情報は、ＷＷＡＮを介して受信され得、第２のセットの情報は、ＷＬＡＮまたはＰＡＮのうちの１つを介して受信されうる。受信モジュール１５０４は、第３の周期性および第３のピア発見距離を持つ第３のピア発見信号において第３のセットの情報を受信するように構成されうる。第３の周期性は第２の周期性とは異なり得、第３のピア発見距離は第２のピア発見距離よりも小さくありうる。識別子処理モジュール１５０６は、第３のセットの情報が、第１のセットの情報または第２のセットの情報のうちの少なくとも１つに関連付けられていると決定するように構成されうる。第１のセットの情報は、第２のセットの情報が第２の周期性および第２のピア発見距離で送信されることになり、第３のセットの情報が第３の周期性および第３のピア発見距離で送信されることになると示す情報を含むことができる。第２のセットの情報は、第２のセットの情報が第２の周期性および第２のピア発見距離で送信されることになると示す情報に基づいて、受信モジュール１５０４によって受信されうる。第３のセットの情報は、第３のセットの情報が第３の周期性および第３のピア発見距離で送信されることになると示す情報に基づいて、受信モジュール１５０４によって受信されうる。受信モジュール１５０４はさらに、第２のセットの情報で第１の識別子を受信するように構成され、識別子処理モジュール１５０６は、受信された第１の識別子に基づいて、第２のセットの情報が第１のセットの情報に関連付けられていると決定するように構成されうる。受信モジュール１５０４はまた、第３のセットの情報で第２の識別子を受信するように構成され得、識別子処理モジュール１５０６は、受信された第２の識別子に基づいて、第３のセットの情報が第１のセットの情報または第２のセットの情報のうちの少なくとも１つに関連付けられていると決定するように構成されうる。識別子処理モジュール１５０６はさらに、第１のハッシュ値を生成するために第１のセットの情報に第１のハッシュ関数を適用し、第１の識別子とその第１のハッシュ値を比較し、第１のハッシュ値と第１の識別子とが同じであるとき、第２のセットの情報が第１のセットの情報に関連付けられていると決定するように構成されうる。識別子処理モジュール１５０６はさらに、第２のハッシュ値を生成するために第１のセットの情報または第２のセットの情報のうちの該少なくとも１つに第２のハッシュ関数を適用し、第２の識別子とその第２のハッシュ値を比較し、第２のハッシュ値と第２の識別子とが同じであるとき、第３のセットの情報が第１のセットの情報または第２のセットの情報のうちの該少なくとも１つに関連付けられていると決定するように構成されうる。第１のセットの情報は、ＷＷＡＮを介して受信され得、第２のセットの情報は、ＷＬＡＮを介して受信され得、第３のセットの情報は、ＰＡＮを介して受信されうる。受信モジュール１５０４はさらに、ピア発見表示モジュール１５０８に、第１、第２、および／または第３のセットの情報を送るように構成されうる。識別子処理モジュール１５０６はさらに、第１のセットの情報が第２および／または第３のセットの情報に関連付けられているかどうかに基づいて、ピア発見表示モジュール１５０８に信号を送るように構成されうる。第２および／または第３のセットの情報が第１のセットの情報に関連付けられていない場合、ピア発見表示モジュール１５０８は、第２および／または第３のセットの情報を破棄するように構成されうる。
【００６８】
[0084]装置は、上述の図１２のフローチャートにおけるアルゴリズムのステップの各々を実行する追加のモジュールを含むことができる。このように、上述の図１２のフローチャートにおける各ステップはモジュールによって実行され得、装置はこれらモジュールのうちの１つまたは複数を含むことができる。モジュールは、述べられたプロセス／アルゴリズムを実行するように特に構成された、述べられたプロセス／アルゴリズムを実行するように構成されたプロセッサによって実装された、プロセッサによる実装のためにコンピュータ可読媒体内に記憶された、あるいはそれらの何らかの組み合わせの、１つまたは複数のハードウェアコンポーネントでありうる。
【００６９】
[0085]図１６は、処理システム１６１４を用いる装置１５０２’のためのハードウェア実装の例を例示する図１６００である。処理システム１６１４は、バス１６２４によって概して表されているバスアーキテクチャで実装されうる。バス１６２４は、処理システム１６１４の指定のアプリケーションおよび全体的な設計制約に依存して、いずれの数の相互接続するバスおよびブリッジも含むことができる。バス１６２４は、プロセッサ１６０４、モジュール１５０４、１５０６、１５０８、およびコンピュータ可読媒体／メモリ１６０６によって表されている１つまたは複数のプロセッサおよび／またはハードウェアモジュールを含む様々な回路を互いにリンクさせる。バス１６２４はまた、タイミングソース、周辺機器、電圧レギュレータ、電力管理回路のような様々な他の回路をリンクさせることができ、これらは、当該技術分野で周知であり、したがってこれ以上説明されない。
【００７０】
[0086]処理システム１６１４は、トランシーバ１６１０に結合されうる。トランシーバ１６１０は、１つまたは複数のアンテナ１６２０に結合されている。トランシーバ１６１０は、送信媒体を通じて様々な他の装置と通信するための手段を提供する。トランシーバ１６１０は、１つまたは複数のアンテナ１６２０から信号を受信し、受信された信号から情報を抽出し、その抽出された情報を、処理システム１６１４、具体的には受信モジュール１５０４に提供する。加えて、トランシーバ１６１０は、処理システム１６１４から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６上に記憶されたソフトウェアの実行を含む、一般的な処理を担う。ソフトウェアは、プロセッサ１６０４によって実行されるとき、処理システム１６１４に、あらゆる特定の装置に関して上で説明された様々な機能を実行させる。コンピュータ可読媒体／メモリ１６０６はまた、ソフトウェアを実行するときにプロセッサ１６０４によって操作されるデータを記憶するためにも使用されうる。処理システムはさらに、モジュール１５０４、１５０６および１５０８のうちの少なくとも１つを含む。モジュールは、プロセッサ１６０４において稼働し、コンピュータ可読媒体／メモリ１６０６に内在する／記憶されたソフトウェアモジュール、プロセッサ１６０４に結合された１つまたは複数のハードウェアモジュール、またはそれらの何らかの組み合わせでありうる。処理システム１６１４は、ＵＥ６５０のコンポーネントであり得、メモリ６６０ならびに／またはＴＸプロセッサ６６８、ＲＸプロセッサ６５６、およびコントローラ／プロセッサ６５９のうちの少なくとも１つを含むことができる。
【００７１】
[0087]一構成では、ワイヤレス通信のための装置１５０２／１５０２’は、第１の周期性および第１のピア発見距離を持つ第１のピア発見信号において第１のセットの情報を受信するための手段を含む。装置はさらに、第２の周期性および第２のピア発見距離を持つ第２のピア発見信号において第２のセットの情報を受信するための手段を含むことができる。第２の周期性は第１の周期性とは異なり得、第２のピア発見距離は第１のピア発見距離よりも小さくありうる。装置は、第２のセットの情報が第１のセットの情報に関連付けられていると決定するための手段を含むことができる。第１のセットの情報は、第２のセットの情報が第２の周期性および第２のピア発見距離で送信されることになると示す情報を含むことができ、第２のセットの情報は、第２のセットの情報が第２の周期性および第２のピア発見距離で送信されることになると示す情報に基づいて受信されうる。装置は、第２のセットの情報で識別子を受信するための手段を含むことができる。装置は、受信された識別子に基づいて、第２のセットの情報が第１のセットの情報に関連付けられていると決定するための手段を含むことができる。装置は、ハッシュ値を生成するために第１のセットの情報にハッシュ関数を適用するための手段と、識別子とそのハッシュ値を比較するための手段と、ハッシュ値と識別子とが同じであるとき、第２のセットの情報が第１のセットの情報に関連付けられていると決定するように構成された決定するための手段とを含むことができる。ハッシュ関数は経時的に変動しうる。第１のセットの情報は、ワイヤレスＷＷＡＮを介して受信され得、第２のセットの情報は、ＷＬＡＮまたはＰＡＮのうちの１つを介して受信されうる。装置はさらに、第３の周期性および第３のピア発見距離を持つ第３のピア発見信号において第３のセットの情報を受信するための手段を含むことができる。第３の周期性は第２の周期性とは異なり得、第３のピア発見距離は第２のピア発見距離よりも小さくありうる。装置は、第３のセットの情報が、第１のセットの情報または第２のセットの情報のうちの少なくとも１つに関連付けられていると決定するための手段を含むことができる。第１のセットの情報は、第２のセットの情報が第２の周期性および第２のピア発見距離で送信されることになり、第３のセットの情報が第３の周期性および第３のピア発見距離で送信されることになると示す情報を含むことができる。第２のセットの情報は、第２のセットの情報が第２の周期性および第２のピア発見距離で送信されることになると示す情報に基づいて受信されうる。第３のセットの情報は、第３のセットの情報が第３の周期性および第３のピア発見距離で送信されることになると示す情報に基づいて受信されうる。装置は、第２のセットの情報で第１の識別子を受信するための手段を含むことができる。この構成では、装置は、受信された第１の識別子に基づいて、第２のセットの情報が第１のセットの情報に関連付けられていると決定するための手段を含むことができる。装置は、第３のセットの情報で第２の識別子を受信するための手段を含むことができる。この構成では、装置は、受信された第２の識別子に基づいて、第３のセットの情報が、第１のセットの情報または第２のセットの情報のうちの少なくとも１つに関連付けられていると決定するための手段を含むことができる。装置は、第１のハッシュ値を生成するために第１のセットの情報に第１のハッシュ関数を適用するための手段と、第１の識別子とその第１のハッシュ値を比較するための手段と、第１のハッシュ値と第１の識別子とが同じであるとき、第２のセットの情報が第１のセットの情報に関連付けられていると決定するように構成された決定するための手段とを含むことができる。装置はさらに、第２のハッシュ値を生成するために第１のセットの情報または第２のセットの情報のうちの該少なくとも１つに第２のハッシュ関数を適用するための手段と、第２の識別子とその第２のハッシュ値を比較するための手段と、第２のハッシュ値と第２の識別子とが同じであるとき、第３のセットの情報が第１のセットの情報または第２のセットの情報のうちの該少なくとも１つに関連付けられていると決定するように構成された決定するための手段とを含むことができる。第１のセットの情報は、ＷＷＡＮを介して受信され得、第２のセットの情報は、ＷＬＡＮを介して受信され得、第３のセットの情報は、ＰＡＮを介して受信されうる。上述の手段は、上述の手段によって記載された機能を実行するよう構成された装置１５０２’の処理システム１６１４および／または装置１５０２の上述のモジュールのうちの１つまたは複数でありうる。上で説明されたように、処理システム１６１４は、ＴＸプロセッサ６６８、ＲＸプロセッサ６５６、およびコントローラ／プロセッサ６５９を含むことができる。このように一構成では、上述の手段が、上述の手段によって記載された機能を実行するように構成されたＴＸプロセッサ６６８、ＲＸプロセッサ６５６、コントローラ／プロセッサ６５９でありうる。
【００７２】
[0088]先の説明は、あらゆる当業者が本明細書で説明されている様々な態様を実施することを可能にするように提供されている。これらの態様への様々な変更は当業者には容易に明らかになり、本明細書で定義されている包括的な本質は他の態様に適用されうる。したがって、請求項は、本明細書で示されている態様に限定されるようには意図されていないけれども、請求項の用語と一貫した最大範囲を与えられるものとし、ここにおいて、単数の要素に対する参照は、「１つおよび１つだけ」を、そのように特別に述べられない限りは意味するように意図されておらず、むしろ「１つまたは複数」を意味するように意図されている。「実例的」という言葉は、「例、事例、または例示としての役目をする」を意味するように本明細書では使用されている。「実例的」として本明細書で説明されているあらゆる態様は、必ずしも、他の態様よりも好ましい、または有利であると解釈されるものではない。他の方法で特別に述べられていない限り、「いくつか」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらのあらゆる組み合わせ」のような組み合わせは、Ａ、Ｂ、および／またはＣのいずれの組み合わせも含み、複数のＡ、複数のＢ、または、複数のＣを含むことができる。特に、「Ａ、Ｂ、またはＣのうちの少なくとも１つ」、「Ａ、Ｂ、およびＣのうちの少なくとも１つ」、および「Ａ、Ｂ、Ｃ、またはそれらのあらゆる組み合わせ」のような組み合わせは、Ａのみ、Ｂのみ、Ｃのみ、ＡとＢ、ＡとＣ、ＢとＣ、またはＡとＢとＣであり得、ここにおいてそのようなあらゆる組み合わせが、Ａ、Ｂ、またはＣの１つまたは複数のメンバを含むことができる。当業者に知られている、または後に知られることになる本開示全体で説明されている様々な態様の要素に対するすべての構造的および機能的な均等物は、参照によって本明細書に明確に組み込まれ、請求項によって包含されるように意図されている。さらに本明細書で開示されているものはどれも、そのような開示が請求項に明示的に記載されているかどうかに関わらず、公共に寄与されるようには意図されていない。どの請求項の要素も、その要素が「〜のための手段」という表現を使用して明確に記載されていない限り、ミーンズプラスファンクションとして解釈されるものではない。
【図１】
2017511634.tif 000003
【図２】
2017511634.tif 000004
【図３】
2017511634.tif 000005
【図４】
2017511634.tif 000006
【図５】
2017511634.tif 000007
【図６】
2017511634.tif 000008
【図７】
2017511634.tif 000009
【図８Ａ】
2017511634.tif 000010
【図８Ｂ】
2017511634.tif 000011
【図９】
2017511634.tif 000012
【図１０】
2017511634.tif 000013
【図１１】
2017511634.tif 000014
【図１２】
2017511634.tif 000015
【図１３】
2017511634.tif 000016
【図１４】
2017511634.tif 000017
【図１５】
2017511634.tif 000018
【図１６】
2017511634.tif 000019
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の周期性および第１のピア発見距離を持つ第１のピア発見信号において第１のセットの情報を送信すること、ここにおいて前記第１のセットの情報は、第２のセットの情報に関する情報を含む、と、
第２の周期性および第２のピア発見距離を持つ第２のピア発見信号において前記第２のセットの情報を送信すること、ここにおいて前記第２の周期性は、前記第１の周期性とは異なり、前記第２のピア発見距離は、前記第１のピア発見距離よりも小さく、前記第２のセットの情報は、前記第１のセットの情報に関連付けられている、と
を備える、方法。
【請求項２】
前記第１のセットの情報は、前記第２のセットの情報が前記第２の周期性および前記第２のピア発見距離で送信されることになると示す情報を含む、
請求項１に記載の方法。
【請求項３】
前記第１のセットの情報に基づいて、識別子を生成することをさらに備え、前記識別子は、前記第２のセットの情報とともに送信される、
請求項１に記載の方法。
【請求項４】
前記識別子は、前記第１のセットの情報に適用されたハッシュ関数に基づいて生成されたハッシュ値である、
請求項３に記載の方法。
【請求項５】
前記ハッシュ関数は、経時的に変動する、
請求項４に記載の方法。
【請求項６】
前記第１のセットの情報は、ワイヤレスワイドエリアネットワーク（ＷＷＡＮ）を介して送信され、前記第２のセットの情報は、ワイヤレスローカルエリアネットワーク（ＷＬＡＮ）またはパーソナルエリアネットワーク（ＰＡＮ）のうちの１つを介して送信される、
請求項１に記載の方法。
【請求項７】
第３の周期性および第３のピア発見距離を持つ第３のピア発見信号において第３のセットの情報を送信することをさらに備え、前記第３の周期性は、前記第２の周期性とは異なり、前記第３のピア発見距離は、前記第２のピア発見距離よりも小さく、前記第３のセットの情報は、前記第１のセットの情報に関連付けられている、
請求項１に記載の方法。
【請求項８】
前記第１のセットの情報は、前記第２のセットの情報が前記第２の周期性および前記第２のピア発見距離で送信されることになり、前記第３のセットの情報が前記第３の周期性および前記第３のピア発見距離で送信されることになると示す情報を含む、
請求項７に記載の方法。
【請求項９】
前記第１のセットの情報に基づいて、第１の識別子を生成すること、ここにおいて前記第１の識別子は、前記第２のセットの情報とともに送信される、と、
前記第１のセットの情報または前記第２のセットの情報のうちの１つに基づいて、第２の識別子を生成すること、ここにおいて前記第２の識別子は、前記第３のセットの情報とともに送信される、と
をさらに備える、請求項７に記載の方法。
【請求項１０】
前記第１の識別子は、前記第１のセットの情報に適用された第１のハッシュ関数に基づいて生成されたハッシュ値であり、前記第２の識別子は、前記第１のセットの情報または前記第２のセットの情報のうちの前記１つに適用された第２のハッシュ関数に基づいて生成されたハッシュ値である、
請求項９に記載の方法。
【請求項１１】
前記第１のセットの情報は、ワイヤレスワイドエリアネットワーク（ＷＷＡＮ）を介して送信され、前記第２のセットの情報は、ワイヤレスローカルエリアネットワーク（ＷＬＡＮ）を介して送信され、前記第３のセットの情報は、パーソナルエリアネットワーク（ＰＡＮ）を介して送信される、
請求項７に記載の方法。
【請求項１２】
ユーザ機器（ＵＥ）のワイヤレス通信の方法であって、
第１の周期性および第１のピア発見距離を持つ第１のピア発見信号において第１のセットの情報を受信すること、ここにおいて前記第１のセットの情報は、第２のセットの情報に関する情報を含む、と、
第２の周期性および第２のピア発見距離を持つ第２のピア発見信号において前記第２のセットの情報を受信すること、ここにおいて前記第２の周期性は、前記第１の周期性とは異なり、前記第２のピア発見距離は、前記第１のピア発見距離よりも小さい、と、
前記第２のセットの情報が前記第１のセットの情報に関連付けられていると決定することと
を備える、方法。
【請求項１３】
前記第１のセットの情報は、前記第２のセットの情報が前記第２の周期性および前記第２のピア発見距離で送信されることになると示す情報を含み、前記第２のセットの情報は、前記第２のセットの情報が前記第２の周期性および前記第２のピア発見距離で送信されることになると示す前記情報に基づいて受信される、
請求項１２に記載の方法。
【請求項１４】
前記第２のセットの情報とともに識別子を受信することをさらに備え、前記ＵＥは、前記受信された識別子に基づいて、前記第２のセットの情報が前記第１のセットの情報に関連付けられていると決定する、
請求項１２に記載の方法。
【請求項１５】
ハッシュ値を生成するために、前記第１のセットの情報にハッシュ関数を適用することと、
前記識別子と前記ハッシュ値を比較することと
をさらに備え、
前記ＵＥは、前記ハッシュ値と前記識別子とが同じであるとき、前記第２のセットの情報が前記第１のセットの情報に関連付けられていると決定する、
請求項１４に記載の方法。
【請求項１６】
前記ハッシュ関数は、経時的に変動する、
請求項１５に記載の方法。
【請求項１７】
前記第１のセットの情報は、ワイヤレスワイドエリアネットワーク（ＷＷＡＮ）を介して受信され、前記第２のセットの情報は、ワイヤレスローカルエリアネットワーク（ＷＬＡＮ）またはパーソナルエリアネットワーク（ＰＡＮ）のうちの１つを介して受信される、
請求項１２に記載の方法。
【請求項１８】
第３の周期性および第３のピア発見距離を持つ第３のピア発見信号において第３のセットの情報を受信すること、ここにおいて前記第３の周期性は、前記第２の周期性とは異なり、前記第３のピア発見距離は、前記第２のピア発見距離よりも小さい、と、
前記第３のセットの情報が、前記第１のセットの情報または前記第２のセットの情報のうちの少なくとも１つに関連付けられていると決定することと
をさらに備える、請求項１２に記載の方法。
【請求項１９】
前記第１のセットの情報は、前記第２のセットの情報が前記第２の周期性および前記第２のピア発見距離で送信されることになり、前記第３のセットの情報が前記第３の周期性および前記第３のピア発見距離で送信されることになると示す情報を含み、前記第２のセットの情報は、前記第２のセットの情報が前記第２の周期性および前記第２のピア発見距離で送信されることになると示す前記情報に基づいて受信され、前記第３のセットの情報は、前記第３のセットの情報が、前記第３の周期性および前記第３のピア発見距離で送信されることになると示す前記情報に基づいて受信される、
請求項１８に記載の方法。
【請求項２０】
前記第２のセットの情報とともに第１の識別子を受信すること、ここにおいて前記ＵＥは、前記受信された第１の識別子に基づいて、前記第２のセットの情報が前記第１のセットの情報に関連付けられていると決定する、と、
前記第３のセットの情報とともに第２の識別子を受信すること、ここにおいて前記ＵＥは、前記受信された第２の識別子に基づいて、前記第３のセットの情報が、前記第１のセットの情報または前記第２のセットの情報のうちの少なくとも１つに関連付けられていると決定する、と
をさらに備える、請求項１８に記載の方法。
【請求項２１】
第１のハッシュ値を生成するために、前記第１のセットの情報に第１のハッシュ関数を適用することと、
前記第１の識別子と前記第１のハッシュ値を比較すること、ここにおいて前記ＵＥは、前記第１のハッシュ値と前記第１の識別子とが同じであるとき、前記第２のセットの情報が前記第１のセットの情報に関連付けられていると決定する、と、
第２のハッシュ値を生成するために、前記第１のセットの情報または前記第２のセットの情報のうちの前記少なくとも１つに第２のハッシュ関数を適用することと、
前記第２の識別子と前記第２のハッシュ値を比較すること、ここにおいて前記ＵＥは、前記第２のハッシュ値と前記第２の識別子とが同じであるとき、前記第３のセットの情報が、前記第１のセットの情報または前記第２のセットの情報のうちの前記少なくとも１つに関連付けられていると決定する、と
をさらに備える、請求項２０に記載の方法。
【請求項２２】
前記第１のセットの情報は、ワイヤレスワイドエリアネットワーク（ＷＷＡＮ）を介して受信され、前記第２のセットの情報は、ワイヤレスローカルエリアネットワーク（ＷＬＡＮ）を介して受信され、前記第３のセットの情報は、パーソナルエリアネットワーク（ＰＡＮ）を介して受信される、
請求項１８に記載の方法。
【請求項２３】
ワイヤレス通信のための装置であって、
第１の周期性および第１のピア発見距離を持つ第１のピア発見信号において第１のセットの情報を送信するための手段、ここにおいて前記第１のセットの情報は、第２のセットの情報に関する情報を含む、と、
第２の周期性および第２のピア発見距離を持つ第２のピア発見信号において前記第２のセットの情報を送信するための手段、ここにおいて前記第２の周期性は、前記第１の周期性とは異なり、前記第２のピア発見距離は、前記第１のピア発見距離よりも小さく、前記第２のセットの情報は、前記第１のセットの情報に関連付けられている、と
を備える、装置。
【請求項２４】
前記第１のセットの情報に基づいて、識別子を生成するための手段をさらに備え、前記識別子は、前記第２のセットの情報とともに送信される、
請求項２３に記載の装置。
【請求項２５】
第３の周期性および第３のピア発見距離を持つ第３のピア発見信号において第３のセットの情報を送信するための手段をさらに備え、前記第３の周期性は、前記第２の周期性とは異なり、前記第３のピア発見距離は、前記第２のピア発見距離よりも小さく、前記第３のセットの情報は、前記第１のセットの情報に関連付けられている、
請求項２３に記載の装置。
【請求項２６】
前記第１のセットの情報に基づいて、第１の識別子を生成するための手段、ここにおいて前記第１の識別子は、前記第２のセットの情報とともに送信される、と、
前記第１のセットの情報または前記第２のセットの情報のうちの１つに基づいて、第２の識別子を生成するための手段、ここにおいて前記第２の識別子は、前記第３のセットの情報とともに送信される、と
をさらに備える、請求項２５に記載の装置。
【請求項２７】
ワイヤレス通信のための装置であって、前記装置は、ユーザ機器（ＵＥ）であり、
第１の周期性および第１のピア発見距離を持つ第１のピア発見信号において第１のセットの情報を受信するための手段、ここにおいて前記第１のセットの情報は、第２のセットの情報に関する情報を含む、と、
第２の周期性および第２のピア発見距離を持つ第２のピア発見信号において前記第２のセットの情報を受信するための手段、ここにおいて前記第２の周期性は、前記第１の周期性とは異なり、前記第２のピア発見距離は、前記第１のピア発見距離よりも小さい、と、
前記第２のセットの情報が前記第１のセットの情報に関連付けられていると決定するための手段と
を備える、装置。
【請求項２８】
前記第２のセットの情報とともに識別子を受信するための手段をさらに備え、前記決定するための手段は、前記受信された識別子に基づいて、前記第２のセットの情報が前記第１のセットの情報に関連付けられていると決定するように構成される、
請求項２７に記載の装置。
【請求項２９】
ハッシュ値を生成するために、前記第１のセットの情報にハッシュ関数を適用するための手段と、
前記識別子と前記ハッシュ値を比較するための手段と
をさらに備え、
前記決定するための手段は、前記ハッシュ値と前記識別子とが同じであるとき、前記第２のセットの情報が、前記第１のセットの情報に関連付けられていると決定する、
請求項２８に記載の装置。
【請求項３０】
第３の周期性および第３のピア発見距離を持つ第３のピア発見信号において第３のセットの情報を受信するための手段、ここにおいて前記第３の周期性は、前記第２の周期性とは異なり、前記第３のピア発見距離は、前記第２のピア発見距離よりも小さい、と、
前記第３のセットの情報が、前記第１のセットの情報または前記第２のセットの情報のうちの少なくとも１つに関連付けられていると決定するための手段と
をさらに備える、請求項２７に記載の装置。
【手続補正２】
【補正対象書類名】明細書
【補正対象項目名】００７２
【補正方法】変更
【補正の内容】
【００７２】
[0088]先の説明は、あらゆる当業者が本明細書で説明されている様々な態様を実施することを可能にするように提供されている。これらの態様への様々な変更は当業者には容易に明らかになり、本明細書で定義されている包括的な本質は他の態様に適用されうる。したがって、請求項は、本明細書で示されている態様に限定されるようには意図されていないけれども、請求項の用語と一貫した最大範囲を与えられるものとし、ここにおいて、単数の要素に対する参照は、「１つおよび１つだけ」を、そのように特別に述べられない限りは意味するように意図されておらず、むしろ「１つまたは複数」を意味するように意図されている。「実例的」という言葉は、「例、事例、または例示としての役目をする」を意味するように本明細書では使用されている。「実例的」として本明細書で説明されているあらゆる態様は、必ずしも、他の態様よりも好ましい、または有利であると解釈されるものではない。他の方法で特別に述べられていない限り、「いくつか」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらのあらゆる組み合わせ」のような組み合わせは、Ａ、Ｂ、および／またはＣのいずれの組み合わせも含み、複数のＡ、複数のＢ、または、複数のＣを含むことができる。特に、「Ａ、Ｂ、またはＣのうちの少なくとも１つ」、「Ａ、Ｂ、およびＣのうちの少なくとも１つ」、および「Ａ、Ｂ、Ｃ、またはそれらのあらゆる組み合わせ」のような組み合わせは、Ａのみ、Ｂのみ、Ｃのみ、ＡとＢ、ＡとＣ、ＢとＣ、またはＡとＢとＣであり得、ここにおいてそのようなあらゆる組み合わせが、Ａ、Ｂ、またはＣの１つまたは複数のメンバを含むことができる。当業者に知られている、または後に知られることになる本開示全体で説明されている様々な態様の要素に対するすべての構造的および機能的な均等物は、参照によって本明細書に明確に組み込まれ、請求項によって包含されるように意図されている。さらに本明細書で開示されているものはどれも、そのような開示が請求項に明示的に記載されているかどうかに関わらず、公共に寄与されるようには意図されていない。どの請求項の要素も、その要素が「〜のための手段」という表現を使用して明確に記載されていない限り、ミーンズプラスファンクションとして解釈されるものではない。
以下に、本願出願の当初の特許請求の範囲に記載された発明を付記する。
［Ｃ１］
ワイヤレス通信の方法であって、
第１の周期性および第１のピア発見距離を持つ第１のピア発見信号において第１のセットの情報を送信することと、
第２の周期性および第２のピア発見距離を持つ第２のピア発見信号において第２のセットの情報を送信すること、ここにおいて前記第２の周期性は、前記第１の周期性とは異なり、前記第２のピア発見距離は、前記第１のピア発見距離よりも小さく、前記第２のセットの情報は、前記第１のセットの情報に関連付けられている、と
を備える、方法。
［Ｃ２］
前記第１のセットの情報は、前記第２のセットの情報が前記第２の周期性および前記第２のピア発見距離で送信されることになると示す情報を含む、
Ｃ１に記載の方法。
［Ｃ３］
前記第１のセットの情報に基づいて、識別子を生成することをさらに備え、前記識別子は、前記第２のセットの情報とともに送信される、
Ｃ１に記載の方法。
［Ｃ４］
前記識別子は、前記第１のセットの情報に適用されたハッシュ関数に基づいて生成されたハッシュ値である、
Ｃ３に記載の方法。
［Ｃ５］
前記ハッシュ関数は、経時的に変動する、
Ｃ４に記載の方法。
［Ｃ６］
前記第１のセットの情報は、ワイヤレスワイドエリアネットワーク（ＷＷＡＮ）を介して送信され、前記第２のセットの情報は、ワイヤレスローカルエリアネットワーク（ＷＬＡＮ）またはパーソナルエリアネットワーク（ＰＡＮ）のうちの１つを介して送信される、
Ｃ１に記載の方法。
［Ｃ７］
第３の周期性および第３のピア発見距離を持つ第３のピア発見信号において第３のセットの情報を送信することをさらに備え、前記第３の周期性は、前記第２の周期性とは異なり、前記第３のピア発見距離は、前記第２のピア発見距離よりも小さく、前記第３のセットの情報は、前記第１のセットの情報に関連付けられている、
Ｃ１に記載の方法。
［Ｃ８］
前記第１のセットの情報は、前記第２のセットの情報が前記第２の周期性および前記第２のピア発見距離で送信されることになり、前記第３のセットの情報が前記第３の周期性および前記第３のピア発見距離で送信されることになると示す情報を含む、
Ｃ７に記載の方法。
［Ｃ９］
前記第１のセットの情報に基づいて、第１の識別子を生成すること、ここにおいて前記第１の識別子は、前記第２のセットの情報とともに送信される、と、
前記第１のセットの情報または前記第２のセットの情報のうちの１つに基づいて、第２の識別子を生成すること、ここにおいて前記第２の識別子は、前記第３のセットの情報とともに送信される、と
をさらに備える、Ｃ７に記載の方法。
［Ｃ１０］
前記第１の識別子は、前記第１のセットの情報に適用された第１のハッシュ関数に基づいて生成されたハッシュ値であり、前記第２の識別子は、前記第１のセットの情報または前記第２のセットの情報のうちの前記１つに適用された第２のハッシュ関数に基づいて生成されたハッシュ値である、
Ｃ９に記載の方法。
［Ｃ１１］
前記第１のセットの情報は、ワイヤレスワイドエリアネットワーク（ＷＷＡＮ）を介して送信され、前記第２のセットの情報は、ワイヤレスローカルエリアネットワーク（ＷＬＡＮ）を介して送信され、前記第３のセットの情報は、パーソナルエリアネットワーク（ＰＡＮ）を介して送信される、
Ｃ７に記載の方法。
［Ｃ１２］
ユーザ機器（ＵＥ）のワイヤレス通信の方法であって、
第１の周期性および第１のピア発見距離を持つ第１のピア発見信号において第１のセットの情報を受信することと、
第２の周期性および第２のピア発見距離を持つ第２のピア発見信号において第２のセットの情報を受信すること、ここにおいて前記第２の周期性は、前記第１の周期性とは異なり、前記第２のピア発見距離は、前記第１のピア発見距離よりも小さい、と、
前記第２のセットの情報が前記第１のセットの情報に関連付けられていると決定することと
を備える、方法。
［Ｃ１３］
前記第１のセットの情報は、前記第２のセットの情報が前記第２の周期性および前記第２のピア発見距離で送信されることになると示す情報を含み、前記第２のセットの情報は、前記第２のセットの情報が前記第２の周期性および前記第２のピア発見距離で送信されることになると示す前記情報に基づいて受信される、
Ｃ１２に記載の方法。
［Ｃ１４］
前記第２のセットの情報とともに識別子を受信することをさらに備え、前記ＵＥは、前記受信された識別子に基づいて、前記第２のセットの情報が前記第１のセットの情報に関連付けられていると決定する、
Ｃ１２に記載の方法。
［Ｃ１５］
ハッシュ値を生成するために、前記第１のセットの情報にハッシュ関数を適用することと、
前記識別子と前記ハッシュ値を比較することと
をさらに備え、
前記ＵＥは、前記ハッシュ値と前記識別子とが同じであるとき、前記第２のセットの情報が前記第１のセットの情報に関連付けられていると決定する、
Ｃ１４に記載の方法。
［Ｃ１６］
前記ハッシュ関数は、経時的に変動する、
Ｃ１５に記載の方法。
［Ｃ１７］
前記第１のセットの情報は、ワイヤレスワイドエリアネットワーク（ＷＷＡＮ）を介して受信され、前記第２のセットの情報は、ワイヤレスローカルエリアネットワーク（ＷＬＡＮ）またはパーソナルエリアネットワーク（ＰＡＮ）のうちの１つを介して受信される、
Ｃ１２に記載の方法。
［Ｃ１８］
第３の周期性および第３のピア発見距離を持つ第３のピア発見信号において第３のセットの情報を受信すること、ここにおいて前記第３の周期性は、前記第２の周期性とは異なり、前記第３のピア発見距離は、前記第２のピア発見距離よりも小さい、と、
前記第３のセットの情報が、前記第１のセットの情報または前記第２のセットの情報のうちの少なくとも１つに関連付けられていると決定することと
をさらに備える、Ｃ１２に記載の方法。
［Ｃ１９］
前記第１のセットの情報は、前記第２のセットの情報が前記第２の周期性および前記第２のピア発見距離で送信されることになり、前記第３のセットの情報が前記第３の周期性および前記第３のピア発見距離で送信されることになると示す情報を含み、前記第２のセットの情報は、前記第２のセットの情報が前記第２の周期性および前記第２のピア発見距離で送信されることになると示す前記情報に基づいて受信され、前記第３のセットの情報は、前記第３のセットの情報が、前記第３の周期性および前記第３のピア発見距離で送信されることになると示す前記情報に基づいて受信される、
Ｃ１８に記載の方法。
［Ｃ２０］
前記第２のセットの情報とともに第１の識別子を受信すること、ここにおいて前記ＵＥは、前記受信された第１の識別子に基づいて、前記第２のセットの情報が前記第１のセットの情報に関連付けられていると決定する、と、
前記第３のセットの情報とともに第２の識別子を受信すること、ここにおいて前記ＵＥは、前記受信された第２の識別子に基づいて、前記第３のセットの情報が、前記第１のセットの情報または前記第２のセットの情報のうちの少なくとも１つに関連付けられていると決定する、と
をさらに備える、Ｃ１８に記載の方法。
［Ｃ２１］
第１のハッシュ値を生成するために、前記第１のセットの情報に第１のハッシュ関数を適用することと、
前記第１の識別子と前記第１のハッシュ値を比較すること、ここにおいて前記ＵＥは、前記第１のハッシュ値と前記第１の識別子とが同じであるとき、前記第２のセットの情報が前記第１のセットの情報に関連付けられていると決定する、と、
第２のハッシュ値を生成するために、前記第１のセットの情報または前記第２のセットの情報のうちの前記少なくとも１つに第２のハッシュ関数を適用することと、
前記第２の識別子と前記第２のハッシュ値を比較すること、ここにおいて前記ＵＥは、前記第２のハッシュ値と前記第２の識別子とが同じであるとき、前記第３のセットの情報が、前記第１のセットの情報または前記第２のセットの情報のうちの前記少なくとも１つに関連付けられていると決定する、と
をさらに備える、Ｃ２０に記載の方法。
［Ｃ２２］
前記第１のセットの情報は、ワイヤレスワイドエリアネットワーク（ＷＷＡＮ）を介して受信され、前記第２のセットの情報は、ワイヤレスローカルエリアネットワーク（ＷＬＡＮ）を介して受信され、前記第３のセットの情報は、パーソナルエリアネットワーク（ＰＡＮ）を介して受信される、
Ｃ１８に記載の方法。
［Ｃ２３］
ワイヤレス通信のための装置であって、
第１の周期性および第１のピア発見距離を持つ第１のピア発見信号において第１のセットの情報を送信するための手段と、
第２の周期性および第２のピア発見距離を持つ第２のピア発見信号において第２のセットの情報を送信するための手段、ここにおいて前記第２の周期性は、前記第１の周期性とは異なり、前記第２のピア発見距離は、前記第１のピア発見距離よりも小さく、前記第２のセットの情報は、前記第１のセットの情報に関連付けられている、と
を備える、装置。
［Ｃ２４］
前記第１のセットの情報に基づいて、識別子を生成するための手段をさらに備え、前記識別子は、前記第２のセットの情報とともに送信される、
Ｃ２３に記載の装置。
［Ｃ２５］
第３の周期性および第３のピア発見距離を持つ第３のピア発見信号において第３のセットの情報を送信するための手段をさらに備え、前記第３の周期性は、前記第２の周期性とは異なり、前記第３のピア発見距離は、前記第２のピア発見距離よりも小さく、前記第３のセットの情報は、前記第１のセットの情報に関連付けられている、
Ｃ２３に記載の装置。
［Ｃ２６］
前記第１のセットの情報に基づいて、第１の識別子を生成するための手段、ここにおいて前記第１の識別子は、前記第２のセットの情報とともに送信される、と、
前記第１のセットの情報または前記第２のセットの情報のうちの１つに基づいて、第２の識別子を生成するための手段、ここにおいて前記第２の識別子は、前記第３のセットの情報とともに送信される、と
をさらに備える、Ｃ２５に記載の装置。
［Ｃ２７］
ワイヤレス通信のための装置であって、前記装置は、ユーザ機器（ＵＥ）であり、
第１の周期性および第１のピア発見距離を持つ第１のピア発見信号において第１のセットの情報を受信するための手段と、
第２の周期性および第２のピア発見距離を持つ第２のピア発見信号において第２のセットの情報を受信するための手段、ここにおいて前記第２の周期性は、前記第１の周期性とは異なり、前記第２のピア発見距離は、前記第１のピア発見距離よりも小さい、と、
前記第２のセットの情報が前記第１のセットの情報に関連付けられていると決定するための手段と
を備える、装置。
［Ｃ２８］
前記第２のセットの情報とともに識別子を受信するための手段をさらに備え、前記決定するための手段は、前記受信された識別子に基づいて、前記第２のセットの情報が前記第１のセットの情報に関連付けられていると決定するように構成される、
Ｃ２７に記載の装置。
［Ｃ２９］
ハッシュ値を生成するために、前記第１のセットの情報にハッシュ関数を適用するための手段と、
前記識別子と前記ハッシュ値を比較するための手段と
をさらに備え、
前記決定するための手段は、前記ハッシュ値と前記識別子とが同じであるとき、前記第２のセットの情報が、前記第１のセットの情報に関連付けられていると決定する、
Ｃ２８に記載の装置。
［Ｃ３０］
第３の周期性および第３のピア発見距離を持つ第３のピア発見信号において第３のセットの情報を受信するための手段、ここにおいて前記第３の周期性は、前記第２の周期性とは異なり、前記第３のピア発見距離は、前記第２のピア発見距離よりも小さい、と、
前記第３のセットの情報が、前記第１のセットの情報または前記第２のセットの情報のうちの少なくとも１つに関連付けられていると決定するための手段と
をさらに備える、Ｃ２７に記載の装置。
【国際調査報告】
2017511634.tif 000020
2017511634.tif 000021